(57)【要約】  ブランク無線リソースの位置を設定するための新たな技術的手段を提供する。基地局装置は、使用可能な無線リソース中に、ブランク無線リソースを設定する設定部２４と、他の基地局装置におけるブランク無線リソースの位置を示す情報を取得する取得部２６と、を備えている。前記設定部２４は、前記他の基地局装置におけるブランク無線リソースの位置を示す前記情報に基づき、ブランク無線リソースの位置を調整する。
2012063934.tif 000002
【特許請求の範囲】
【請求項１】
使用可能な無線リソース中に、ブランク無線リソースを設定する設定部と、
他の基地局装置におけるブランク無線リソースの位置を示す情報を取得する取得部と、
を備え、
前記設定部は、前記他の基地局装置におけるブランク無線リソースの位置を示す前記情報に基づき、ブランク無線リソースの位置を調整する
基地局装置。
【請求項２】
前記取得部は、複数の他の基地局装置のうち、ブランク無線リソースの位置を参照する対象となる対象基地局装置から、前記対象基地局装置におけるブランク無線リソースの位置を示す前記情報を取得し、
前記設定部は、前記対象基地局装置におけるブランク無線リソースの位置を示す前記情報に基づき、ブランク無線リソースの位置を調整する
請求項１記載の基地局装置。
【請求項３】
前記他の基地局装置におけるブランク無線リソースは、前記他の基地局装置とは別の他の基地局装置のセルへの干渉防止のために設定されたブランク無線リソースである
請求項１又は２記載の基地局装置。
【請求項４】
前記他の基地局装置は、端末装置による接続が、自装置よりも優先的に行われる基地局装置である
請求項１〜３のいずれか１項に記載の基地局装置。
【請求項５】
前記他の基地局装置におけるブランク無線リソースは、優先基地局装置のセルへの干渉防止のために設定されたブランク無線リソースであり、
前記優先基地局装置は、前記他の基地局装置とは別の他の基地局装置であって、端末装置による接続が前記他の基地局装置よりも優先的に行われる基地局装置である
請求項４記載の基地局装置。
【請求項６】
前記他の基地局装置は、端末装置による接続が、自装置のほうに優先的に行われる基地局装置である
請求項１〜３のいずれか１項に記載の基地局装置。
【請求項７】
前記他の基地局装置におけるブランク無線リソースは、優先基地局装置のセルへの干渉防止のために設定されたブランク無線リソースであり、
前記優先基地局装置は、前記他の基地局装置とは別の他の基地局装置であって、端末装置による接続が自装置よりも優先的に行われる基地局装置である
請求項６記載の基地局装置。
【請求項８】
前記優先基地局装置は、自装置の近傍に存在する近傍基地局装置である
請求項５又は７記載の基地局装置。
【請求項９】
前記他の基地局装置は、マクロセルを形成するマクロ基地局装置である
請求項１〜８のいずれか１項に記載の基地局装置。
【請求項１０】
前記他の基地局装置とは別の他の基地局装置は、マクロセルよりも小さいセルを形成する小型公衆用基地局装置である
請求項３又は５記載の基地局装置
【請求項１１】
個人又は企業などの通信事業者の顧客によってプライベートに利用可能な基地局装置である請求項１〜１０のいずれか１項に記載の基地局装置。
【請求項１２】
マクロセルよりも小さいセルを形成する小型公衆用基地局装置である請求項１〜９のいずれか１項に記載の基地局装置。
【請求項１３】
前記他の基地局装置とは別の他の基地局装置は、マクロセルよりも小さいセルを形成する第１の小型公衆用基地局装置のセルよりも小さいセルを形成する第２の公衆用基地局装置である
請求項３又は７記載の基地局装置。
【請求項１４】
前記設定部は、前記他の基地局装置におけるブランク無線リソースの位置に対応する位置にブランク無線リソースを設定する
請求項１〜１３のいずれか１項に記載の基地局装置。
【請求項１５】
前記設定部は、前記他の基地局装置におけるブランク無線リソースの位置とは異なる位置にブランク無線リソースを設定する
請求項１〜１４のいずれか１項に記載の基地局装置。
【請求項１６】
前記無線リソースは、時間リソース又は周波数リソースである
請求項１〜１５のいずれか１項に記載の基地局装置。
【請求項１７】
前記他の基地局装置とは別の他の基地局装置が、自装置の近傍に存在するか否かを判定する判定部を備え、
前記設定部は、前記他の基地局装置とは別の他の基地局装置が、自装置の近傍に存在するか否かの判定結果に応じて、ブランク無線リソースの位置を調整する
請求項１〜１６のいずれか１項に記載の基地局装置。
【請求項１８】
前記設定部は、
前記判定部によって、前記他の基地局装置とは別の他の基地局装置が、自装置の近傍に存在すると判定された場合に、
前記他の基地局装置におけるブランク無線リソースの位置を示す前記情報に基づき、ブランク無線リソースの位置を調整する
請求項１７記載の基地局装置。
【請求項１９】
前記設定部は、
前記判定部によって、前記他の基地局装置とは別の他の基地局装置が、自装置の近傍に存在しないと判定された場合には、
前記他の基地局装置のセルへの干渉防止のために、ブランク無線リソースの位置を調整する
請求項１７記載の基地局装置。
【請求項２０】
前記判定部は、前記他の基地局装置とは別の他の基地局装置が自装置の近傍に存在するか否かの判定を、自装置の近傍に存在する近傍基地局装置が無線送信した情報に基づいて行う
請求項１７〜１９のいずれか１項に記載の基地局装置。
【請求項２１】
前記判定部は、前記他の基地局装置とは別の他の基地局装置が自装置の近傍に存在するか否かの判定を、自装置の近傍に存在する近傍基地局装置が送信した送信電力情報に基づいて行う
請求項１７〜２０のいずれか１項に記載の基地局装置。
【請求項２２】
前記優先基地局装置が、自装置の近傍に存在するか否かを判定する判定部を備え、
前記設定部は、前記優先基地局装置が、自装置の近傍に存在するか否かの判定結果に応じて、ブランク無線リソースの位置を調整する
請求項５，７及び８のいずれか１項に記載の基地局装置。
【請求項２３】
前記判定部は、前記優先基地局装置が自装置の近傍に存在するか否かの判定を、自装置の近傍に存在する近傍基地局装置が送信した自装置のＩＤ情報に基づいて行う
請求項２２記載の基地局装置。
【請求項２４】
前記判定部は、自装置の近傍に存在する近傍基地局装置が送信した送信フレームに、当該近傍基地局装置が前記優先基地局装置であることを認識可能な情報が含まれているか否かの判定によって、前記優先基地局装置が自装置の近傍に存在するか否かの判定を行う
請求項２２記載の基地局装置。
【請求項２５】
前記判定部は、自装置の近傍に存在する近傍基地局装置が送信した送信フレームに、当該近傍基地局装置の近傍に存在する別の他の基地局装置が前記優先基地局装置であることを認識可能な情報が含まれているか否かの判定によって、前記優先基地局装置が自装置の近傍に存在するか否かの判定を行う
請求項２２記載の基地局装置。
【請求項２６】
前記判定部は、前記別の他の基地局装置からの信号を測定した結果も考慮して、前記優先基地局装置が自装置の近傍に存在するか否かの判定を行う
請求項２５記載の基地局装置。
【請求項２７】
前記判定部は、前記優先基地局装置が自装置の近傍に存在するか否かの判定を、自装置の近傍に存在する近傍基地局装置がセル範囲拡張処理を行っているか否かの監視結果に基づいて行う
請求項２２〜２６のいずれか１項に記載の基地局装置。
【請求項２８】
前記判定部は、前記他の基地局装置とは別の他の基地局装置が自装置の近傍に存在するか否かの判定を、基地局間ネットワークを介して得た情報に基づいて行う
請求項１７〜２７のいずれか１項に記載の基地局装置。
【請求項２９】
前記判定部は、前記他の基地局装置とは別の他の基地局装置が自装置の近傍に存在するか否かの判定を、基地局間ネットワークを介して得た、前記他の基地局装置とは別の他の基地局装置が自装置の近傍に存在するか否かを示す情報に基づいて行う
請求項２８記載の基地局装置。
【請求項３０】
基地局装置の種別を認識可能な情報を、送信フレームに含めて送信可能に構成され、
前記基地局装置の種別は、端末装置による接続の優先度に応じた種別である
基地局装置。
【請求項３１】
自装置の近傍に存在する他の基地局装置を示す情報とともに、前記他の基地局装置の種別を認識可能な情報を、送信フレームに含めて送信可能に構成されている
基地局装置。
【請求項３２】
第１基地局装置と、
第２基地局装置と、
第３基地局装置と、
を有する通信システムであって、
前記第１基地局装置は、使用可能な無線リソース中に、前記第２基地局装置のセルへの干渉防止のためのブランク無線リソースを設定するよう構成され、
前記第３基地局装置は、前記第１基地局装置におけるブランク無線リソースの位置を示す情報を取得し、前記第１基地局装置におけるブランク無線リソースの位置を示す前記情報に基づき、ブランク無線リソースの位置を調整する
通信システム。
【請求項３３】
複数の基地局装置の情報を管理する管理装置であって、
複数の基地局装置それぞれの種別を認識可能な情報を記憶する記憶部と、
一の基地局装置の近傍に、種別の異なる他の基地局装置が存在する場合に、前記一の基地局装置に対して、前記一の基地局装置の近傍に種別の異なる前記他の基地局装置が存在することを認識可能な情報を送信する情報送信部と、
を備えている管理装置。
【請求項３４】
複数の基地局装置の情報を管理する管理装置であって、
複数の基地局装置それぞれの種別を認識可能な情報を記憶する記憶部と、
基地局装置に対して、他の基地局装置の種別を認識可能な情報を送信する情報送信部と、
を備えている管理装置。
【請求項３５】
基地局装置が使用可能な無線リソース中に、ブランク無線リソースを設定する方法であって、
他の基地局装置におけるブランク無線リソースの位置を示す情報を取得するステップと、
前記他の基地局装置におけるブランク無線リソースの位置を示す前記情報に基づき、前記基地局装置のブランク無線リソースの位置を調整するステップと、
を含む方法。
【請求項３６】
近傍基地局装置に関する判定を行う方法であって、
基地局間ネットワークに設けられた装置又は基地局間ネットワークに接続されたネットワークに設けられた装置から、一の基地局装置の近傍に種別の異なる他の基地局装置が存在するか否かの判定を行うために用いられる情報を、送信するステップと、
前記一の基地局装置が、基地局間ネットワークを介して送信されてきた前記情報を受信するステップと、
前記情報に基づいて、前記一の基地局装置の近傍に種別の異なる他の基地局装置が存在するか否かの判定を行うステップと、
を含む方法。
【請求項３７】
基地局装置が情報を送信する方法であって、
前記基地局装置は、基地局装置の種別を認識可能な情報を送信し、
前記基地局装置の種別は、端末装置による接続の優先度に応じた種別である
方法。
【請求項３８】
基地局装置が、自装置の近傍に存在する他の基地局装置を示す情報を送信する方法であって、
前記基地局装置は、自装置の近傍に存在する他の基地局装置を示す情報とともに、前記他の基地局装置の種別を認識可能な情報を送信する
方法。
【発明の詳細な説明】
【技術分野】
【０００１】
本発明は、基地局装置、通信システム、管理装置、及びそれらに関する方法に関するものである。
【背景技術】
【０００２】
セル方式の通信システムは、マクロセルとよばれる比較的広い無線通信エリアを形成する大出力のマクロ基地局装置を多数設置することで構築される。
ＬＴＥ（Long Term Evolution）などの通信規格では、マクロ基地局装置のほか、マクロセルよりも狭い範囲のフェムトセルを形成するフェムト基地局装置を設置することも想定されている（非特許文献１参照）。フェムト基地局装置は、マクロ基地局装置よりも小型の基地局装置である。【０００３】
マクロ基地局装置は、通信システムを管理する通信事業者によって設置されるのに対して、フェムト基地局装置は、主に、通信システムの顧客（ユーザ）である個人や企業などによって設置される。フェムト基地局装置を、例えば、マクロセル内における家屋内又は企業の事業所内などに設置することで、フェムト基地局装置の設置場所における通信環境の改善などを図ることができる。【０００４】
また、ＬＴＥでは、フェムト基地局装置とは別に、マクロセルよりも範囲が狭いセル（ピコセル）を形成する小型基地局装置（ピコ基地局装置）を設置することも検討されている（非特許文献２参照）。
マクロセル内に非常に人口密度が高い場所が含まれている等の事情により、マクロセル内に存在する端末数が非常に多くなると、マクロ基地局装置だけでは、多数の端末に応じた十分な通信容量が確保できないことが予想される。
そこで、マクロセル内の端末を、マクロ基地局装置ではなく、ピコ基地局装置に優先的に接続させることで、マクロ基地局装置の通信負荷を軽減させることができ、システム全体のスループットを向上させることができる。【０００５】
ここで、ＬＴＥでは、上述のマクロ基地局装置及びピコ基地局装置は、いずれもｅＮｏｄｅＢ（ｅＮＢ）ともよばれ、通信システムの加入者端末すべてがアクセス可能とされている。つまり、マクロ基地局装置及びピコ基地局装置は、公衆用基地局装置であるということができる。
一方、フェムト基地局装置は、Ｈｏｍｅ  ｅＮＢ（ＨｅＮＢ）ともよばれ、フェムト基地局装置の設置者などが優先して利用できるように、フェムト基地局装置にアクセス可能な端末を制限することが可能である。つまり、フェムト基地局装置は、プライベートな利用が可能な基地局装置である。
【先行技術文献】
【非特許文献】
【０００６】
【非特許文献１】3GPP, "TS22.220 V10.3.0 Service requirements for Home Node B(HNB) and Home eNode B(HeNB)",2010-06
【非特許文献２】3GPP,"TS36.104 V10.0.0 Base Station(BS) radio transmission and reception", 2010-09
【発明の概要】
【発明が解決しようとする課題】
【０００７】
フェムト基地局装置が、プライベートな利用に供される場合、フェムト基地局装置の関係者以外の者が所有する一般の端末は、フェムト基地局装置への接続が制限される。つまり、一般の端末は、フェムトセル内に存在している場合であっても、マクロ基地局装置への接続が優先され、フェムト基地局装置に全く接続できないか、限られた場合にしか接続することができない。
したがって、プライベートに利用されるフェムト基地局装置は、マクロ基地局装置などの公衆向けの基地局装置の運用にできるだけ悪影響を与えないことが望まれる。
例えば、マクロ基地局装置から送信されるフレーム中の制御信号が、フェムト基地局装置からの電波干渉を受けると、マクロ基地局装置にアクセスしている端末は、データ信号取得に必要な制御信号を取得できないおそれがある。端末は、制御信号を取得できれば、多少の干渉があってもデータ信号を正常に認識することが可能であるが、制御信号を取得できなければ、データ信号を正常に認識できなくなる。【０００８】
したがって、マクロセル内に設置されるフェムト基地局装置は、マクロセルに対して干渉を与えないようにすること、より具体的には、マクロ基地局装置の送信フレームに含まれる制御信号に対して干渉を与えないようにすること、が望まれる。
このため、フェムト基地局装置は、使用可能な無線リソース（時間リソース及び又は周波数リソース）のうち、マクロセルへの干渉を回避したい無線リソースを、ブランク無線リソースとして設定することが考えられる。例えば、フェムト基地局装置は、マクロ基地局装置の送信フレームに含まれる制御信号の送信区間に対応するフレーム位置に、ブランク区間（ブランクサブフレーム）を設定することが考えられる。
また、フェムト基地局装置は、当該フェムト基地局装置が使用可能な周波数（キャリア）のうち、不使用とする周波数（ブランクキャリア）を設けておくことも考えられる。
マクロセルへの干渉を回避したい無線リソースをブランク無線リソース（ブランク区間又はブランクキャリア）にしておくことで、ブランク無線リソースについては、マクロセルへの干渉を低減できる。
このように、ブランク無線リソースは、他の近傍基地局装置から送信される制御信号などの信号を保護するのに有用である。また、ブランク無線リソースは、制御信号の保護に限らず、一部の無線リソースにおいてセル間干渉を回避したい様々な状況において有用である。【０００９】
ところが、フェムト基地局装置が設置されているマクロセル内には、公衆用向けの基地局装置として、マクロ基地局装置だけでなく、ピコ基地局装置が設置されることもある。
このため、ブランク無線リソースが設定される位置を、干渉を与えるのを回避したいセルを形成するマクロ基地局装置から送信される信号だけを意識して設定すると、ピコ基地局装置への十分な配慮が得られないおそれがある。
このように、ブランク無線リソースは、他の基地局装置のセルへ干渉を与えるのを回避するのに有用であるものの、単に、当該他の基地局装置のセルへ干渉を与えるのを回避することを考慮するだけであると、複数の基地局装置の配置状況によっては、ブランク無線リソースの位置が不適切となるおそれがある。【００１０】
そこで、本発明は、ブランク無線リソースの位置を設定するための新たな技術的手段を提供することを目的とする。
【課題を解決するための手段】
【００１１】
（１）一の観点からみた本発明は、使用可能な無線リソース中に、ブランク無線リソースを設定する設定部と、他の基地局装置におけるブランク無線リソースの位置を示す情報を取得する取得部と、を備え、前記設定部は、前記他の基地局装置におけるブランク無線リソースの位置を示す前記情報に基づき、ブランク無線リソースの位置を調整する基地局装置である。
上記本発明によれば、基地局装置は、他の基地局装置におけるブランク無線リソースの位置に応じて、自装置におけるブランク無線リソースの位置を調整することができる。
ブランク無線リソースの位置を示す情報は、ブランク無線リソースの位置を直接的に示すものでなくてもよく、使用可能な無線リソースのうち実際に使用される無線リソースの位置を示すことで、ブランク無線リソースの位置を間接的に示すものであってもよい。
ブランク無線リソースの位置とは、無線リソースが例えば時間リソースである場合には、時間軸上の位置をいい、無線リソースが例えば周波数リソースである場合には、周波数軸上の位置をいう。【００１２】
（２）前記取得部は、複数の他の基地局装置のうち、ブランク無線リソースの位置を参照する対象となる対象基地局装置から、前記対象基地局装置におけるブランク無線リソースの位置を示す前記情報を取得し、前記設定部は、前記対象基地局装置におけるブランク無線リソースの位置を示す前記情報に基づき、ブランク無線リソースの位置を調整するのが好ましい。
この場合、ブランク無線リソースの位置を参照する対象となる対象基地局装置のブランク無線リソースの位置に応じて、自装置のブランク無線リソースの位置を調整することができる。【００１３】
（３）前記他の基地局装置におけるブランク無線リソースは、前記他の基地局装置とは別の他の基地局装置のセルへの干渉防止のために設定されたブランク無線リソースであるのが好ましい。【００１４】
（４）前記他の基地局装置は、端末装置による接続が、自装置よりも優先的に行われる基地局装置であるのが好ましい。【００１５】
（５）前記（４）において、前記他の基地局装置におけるブランク無線リソースは、優先基地局装置のセルへの干渉防止のために設定されたブランク無線リソースであり、前記優先基地局装置は、前記他の基地局装置とは別の他の基地局装置であって、端末装置による接続が前記他の基地局装置よりも優先的に行われる基地局装置であるのが好ましい。【００１６】
（６）前記他の基地局装置は、端末装置による接続が、自装置のほうに優先的に行われる基地局装置であってもよい。【００１７】
（７）前記（６）において、前記他の基地局装置におけるブランク無線リソースは、優先基地局装置のセルへの干渉防止のために設定されたブランク無線リソースであり、前記優先基地局装置は、前記他の基地局装置とは別の他の基地局装置であって、端末装置による接続が自装置よりも優先的に行われる基地局装置であるのが好ましい。【００１８】
（８）前記優先基地局装置は、自装置の近傍に存在する近傍基地局装置であるのが好ましい。【００１９】
（９）前記他の基地局装置は、マクロセルを形成するマクロ基地局装置であるのが好ましい。【００２０】
（１０）前記他の基地局装置とは別の他の基地局装置は、マクロセルよりも小さいセルを形成する小型公衆用基地局装置であるのが好ましい。【００２１】
（１１）前記（１）〜（１０）のいずれか１項に記載の基地局装置（自装置）は、個人又は企業などの通信事業者の顧客によってプライベートに利用可能な基地局装置であるのが好ましい。【００２２】
（１２）前記（１）〜（９）のいずれか１項に記載の基地局装置（自装置）は、マクロセルよりも小さいセルを形成する小型公衆用基地局装置であるのが好ましい。【００２３】
（１３）前記他の基地局装置とは別の他の基地局装置は、マクロセルよりも小さいセルを形成する第１の小型公衆用基地局装置のセルよりも小さいセルを形成する第２の公衆用基地局装置であるのが好ましい。【００２４】
（１４）前記設定部は、前記他の基地局装置におけるブランク無線リソースの位置に対応する位置にブランク無線リソースを設定するのが好ましい。【００２５】
（１５）前記設定部は、前記他の基地局装置におけるブランク無線リソースの位置とは異なる位置にブランク無線リソースを設定するのが好ましい。【００２６】
（１６）前記無線リソースは、時間リソース又は周波数リソースであるのが好ましい。【００２７】
（１７）前記他の基地局装置とは別の他の基地局装置が自装置の近傍に存在するか否かを判定する判定部を備え、前記設定部は、前記他の基地局装置とは別の他の基地局装置が、自装置の近傍に存在するか否かの判定結果に応じて、ブランク無線リソースの位置を調整するのが好ましい。
この場合、判定部は、前記他の基地局装置とは別の他の基地局装置が自装置の近傍に存在するか否かを判定して、ブランク無線リソースの位置を調整する。したがって、自装置の近傍に前記他の基地局装置とは別の他の基地局装置が存在すれば、前記他の基地局装置とは別の他の基地局装置の存在を考慮して、ブランク無線リソースの位置を調整することができる。【００２８】
（１８）前記設定部は、前記判定部によって、前記他の基地局装置とは別の他の基地局装置が、自装置の近傍に存在すると判定された場合に、前記他の基地局装置におけるブランク無線リソースの位置を示す前記情報に基づき、ブランク無線リソースの位置を調整するのが好ましい。【００２９】
（１９）前記設定部は、前記判定部によって、前記他の基地局装置とは別の他の基地局装置が、自装置の近傍に存在しないと判定された場合には、前記他の基地局装置のセルへの干渉防止のために、ブランク無線リソースの位置を調整するのが好ましい。【００３０】
（２０）前記判定部は、前記他の基地局装置とは別の他の基地局装置が自装置の近傍に存在するか否かの判定を、自装置の近傍に存在する近傍基地局装置が無線送信した情報に基づいて行うのが好ましい。【００３１】
（２１）前記判定部は、前記他の基地局装置とは別の他の基地局装置が自装置の近傍に存在するか否かの判定を、自装置の近傍に存在する近傍基地局装置が送信した送信電力情報に基づいて行うのが好ましい。【００３２】
（２２）前記優先基地局装置が、自装置の近傍に存在するか否かを判定する判定部を備え、前記設定部は、前記優先基地局装置が、自装置の近傍に存在するか否かの判定結果に応じて、ブランク無線リソースの位置を調整するのが好ましい。【００３３】
（２３）前記判定部は、前記優先基地局装置が自装置の近傍に存在するか否かの判定を、自装置の近傍に存在する近傍基地局装置が送信した自装置のＩＤ情報に基づいて行うことができる。【００３４】
（２４）前記判定部は、自装置の近傍に存在する近傍基地局装置が送信した送信フレームに、当該近傍基地局装置が前記優先基地局装置であることを認識可能な情報が含まれているか否かの判定によって、前記優先基地局装置が自装置の近傍に存在するか否かの判定を行うことができる。【００３５】
（２５）前記判定部は、自装置の近傍に存在する近傍基地局装置が送信した送信フレームに、当該近傍基地局装置の近傍に存在する別の他の基地局装置が前記優先基地局装置であることを認識可能な情報が含まれているか否かの判定によって、前記優先基地局装置が自装置の近傍に存在するか否かの判定を行うことができる。【００３６】
（２６）前記判定部は、前記別の他の基地局装置からの信号を測定した結果も考慮して、前記優先基地局装置が自装置の近傍に存在するか否かの判定を行うことができる。【００３７】
（２７）前記判定部は、前記優先基地局装置が自装置の近傍に存在するか否かの判定を、自装置の近傍に存在する近傍基地局装置がセル範囲拡張処理を行っているか否かの監視結果に基づいて行うことができる。【００３８】
（２８）前記判定部は、前記他の基地局装置とは別の他の基地局装置が自装置の近傍に存在するか否かの判定を、基地局間ネットワークを介して得た情報に基づいて行うことができる。【００３９】
（２９）前記判定部は、前記他の基地局装置とは別の他の基地局装置が自装置の近傍に存在するか否かの判定を、基地局間ネットワークを介して得た、前記他の基地局装置とは別の他の基地局装置が自装置の近傍に存在するか否かを示す情報に基づいて行うことができる。【００４０】
（３０）他の観点からみた本発明は、基地局装置の種別を認識可能な情報を、送信フレームに含めて送信可能に構成され、前記基地局装置の種別は、端末装置による接続の優先度に応じた種別である、基地局装置である。【００４１】
（３１）他の観点からみた本発明は、自装置の近傍に存在する他の基地局装置を示す情報とともに、前記他の基地局装置の種別を認識可能な情報を、送信フレームに含めて送信可能に構成されている基地局装置である。【００４２】
（３２）他の観点からみた本発明は、第１基地局装置と、第２基地局装置と、第３基地局装置と、を有する通信システムであって、前記第１基地局装置は、使用可能な無線リソース中に、前記第２基地局装置のセルへの干渉防止のためのブランク無線リソースを設定するよう構成され、前記第３基地局装置は、前記第１基地局装置におけるブランク無線リソースの位置を示す情報を取得し、前記第１基地局装置におけるブランク無線リソースの位置を示す前記情報に基づき、ブランク無線リソースの位置を調整する通信システムである。【００４３】
（３３）他の観点からみた本発明は、複数の基地局装置の情報を管理する管理装置であって、複数の基地局装置それぞれの種別を認識可能な情報を記憶する記憶部と、一の基地局装置の近傍に、種別の異なる他の基地局装置が存在する場合に、前記一の基地局装置に対して、前記一の基地局装置の近傍に種別の異なる前記他の基地局装置が存在することを認識可能な情報を送信する情報送信部と、を備えている管理装置である。【００４４】
（３４）他の観点からみた本発明は、複数の基地局装置の情報を管理する管理装置であって、複数の基地局装置それぞれの種別を認識可能な情報を記憶する記憶部と、基地局装置に対して、他の基地局装置の種別を認識可能な情報を送信する情報送信部と、を備えている管理装置である。【００４５】
（３５）他の観点からみた本発明は、基地局装置が使用可能な無線リソース中に、ブランク無線リソースを設定する方法であって、他の基地局装置におけるブランク無線リソースの位置を示す情報を取得するステップと、前記他の基地局装置におけるブランク無線リソースの位置を示す前記情報に基づき、前記基地局装置のブランク無線リソースの位置を調整するステップと、を含む方法である。【００４６】
（３６）他の観点からみた本発明は、近傍基地局装置に関する判定を行う方法であって、基地局間ネットワークに設けられた装置又は基地局間ネットワークに接続されたネットワークに設けられた装置から、一の基地局装置の近傍に種別の異なる他の基地局装置が存在するか否かの判定を行うために用いられる情報を、送信するステップと、前記一の基地局装置が、基地局間ネットワークを介して送信されてきた前記情報を受信するステップと、前記情報に基づいて、前記一の基地局装置の近傍に種別の異なる他の基地局装置が存在するか否かの判定を行うステップと、を含む方法である。【００４７】
（３７）他の観点からみた本発明は、基地局装置が情報を送信する方法であって、前記基地局装置は、基地局装置の種別を認識可能な情報を送信する。前記基地局装置の種別は、端末装置による接続の優先度に応じた種別である。【００４８】
（３８）他の観点からみた本発明は、基地局装置が、自装置の近傍に存在する他の基地局装置を示す情報を送信する方法であって、前記基地局装置は、自装置の近傍に存在する他の基地局装置を示す情報とともに、前記他の基地局装置の種別を認識可能な情報を送信する。
【図面の簡単な説明】
【００４９】
【図１】通信システムの構成図である。
【図２】基地局間ネットワークの構成図である。
【図３】ＤＬフレーム及びＵＬフレームの構造図である。
【図４】ＤＬフレームの構造図である。
【図５】基地局装置（フェムト基地局装置）の構成図である。
【図６】同期情報の通知方法を示す図である。
【図７】フェムトＢＳのＡＢＳ配置を示す図である。
【図８】マクロＢＳのＡＢＳ配置を示す図である。
【図９】ピコＢＳが及びマクロＢＳのＡＢＳ配置（ケース１）を示す図である。
【図１０】ＡＢＳ情報の通知方法を示す図である。
【図１１】ピコＢＳ及びマクロＢＳのＡＢＳ配置（ケース２）を示す図である。
【図１２】送信電力による判定方法を示すフローチャートである。
【図１３】送信電力の通知方法を示す図である。
【図１４】セルＩＤによる判定方法を示すフローチャートである。
【図１５】セルＩＤの通知方法を示す図である。
【図１６】マクロＢＳ配下のピコセル情報の通知方法を示す図である。
【図１７】セル種別による判定方法を示すフローチャートである。
【図１８】セル種別の通知方法を示す図である。
【図１９】セル種別付自セル情報のデータ構造図である。
【図２０】隣接基地局リストによる判定方法を示すフローチャートである。
【図２１】隣接基地局リストの通知方法を示す図である。
【図２２】セル種別付隣接基地局リストのデータ構造図である。
【図２３】セル範囲拡張処理による判定方法を示すフローチャートである。
【図２４】セル範囲拡張処理の監視方法を示す図である。
【図２５】基地局間ネットワークからのピコＢＳ情報の通知方法を示す図である。
【図２６】サーバの構成図である。
【図２７】自セル種別情報が追加された自セル情報（ＳＩＢ１）である。
【図２８】セル種別情報が追加された隣接基地局リスト（ＳＩＢ４）である。
【図２９】基地局装置の配置を示す図である。
【図３０】端末装置による接続の優先度を示す図である。
【図３１】ＣＳＧフェムトＢＳ及びピコＢＳのＡＢＳ配置を示す図である。
【図３２】ＡＢＳ情報の通知方法を示す図である。
【図３３】マクロＢＳ及びピコＢＳのＡＢＳ配置を示す図である。
【図３４】ＡＢＳ情報の通知方法を示す図である。
【図３５】ＣＳＧフェムトＢＳ及びピコＢＳのＡＢＳ配置を示す図である。
【図３６】ＡＢＳ情報の通知方法を示す図である。
【図３７】ＣＳＧフェムトＢＳ、マクロＢＳ及びピコＢＳのＡＢＳ配置を示す図である。
【図３８】ＣＳＧフェムトＢＳ、マクロＢＳ及びピコＢＳのＡＢＳ配置を示す図である。
【図３９】ＣＳＧフェムトＢＳ、マクロＢＳ及びピコＢＳのＡＢＳ配置を示す図である。
【図４０】ＣＳＧフェムトＢＳ及びピコＢＳのＡＢＳ配置を示す図である。
【図４１】ＣＳＧフェムトＢＳ及びＯｐｅｎフェムトＢＳのＡＢＳ配置を示す図である。
【発明を実施するための形態】
【００５０】
以下、本発明の好ましい実施形態について図面を参照しながら説明する。
［１．通信システムの構成］
図１は、無線通信システムの構成を示す概略図である。この通信システムは、複数の基地局装置（ＢＳ；Base Station）１を備えたセル方式のシステムである。本実施形態の無線通信システムは、例えば、ＬＴＥが適用される携帯電話用のシステムであり、各基地局装置１と、端末装置（ＵＥ；User Equipment）２との間において、ＬＴＥに準拠した通信が行われる。ただし、通信方式は、ＬＴＥに限られるものではない。
【００５１】
通信システムを構成する複数の基地局装置１には、例えば、数キロメートルの大きさの通信エリア（マクロセル）ＭＣを形成する複数のマクロ基地局装置（Macro Base Station; MBS）１ａのほか、ピコセルＰＣを形成するピコ基地局装置(Pico Base Station; PBS)１ｂ、及び、フェムトセルＦＣを形成するフェムト基地局装置(Femto Base Station;FBS)１ｃを含めることができる。
以下では、マクロ基地局装置をマクロＢＳ、ピコ基地局装置をピコＢＳ、フェムト基地局装置をフェムトＢＳというものとする。
【００５２】
ピコＢＳ１ｂは、マクロセル内に１又は複数設置される。ピコＢＳ１ｂは、マクロＢＳ１ａと同様に、主に、通信事業者によって設置される。マクロセルＭＣ内の端末装置２を、マクロＢＳ１ａではなく、ピコＢＳ１ｂに接続させることで、マクロＢＳ１ａの通信負荷を軽減させることができ、システム全体のスループットを向上させることができる。
【００５３】
フェムトＢＳ１ｃも、マクロセル内及び／又はピコセル内に１又は複数設置される。フェムトＢＳ１ｃは、主に、通信システムの顧客（ユーザ）である個人や企業などによって設置される。フェムトＢＳ１ｃを設置することで、フェムト基地局装置の設置場所における通信環境の改善などを図ることができる。
【００５４】
フェムトセルＦＣ及びピコセルＰＣは、ともに、マクロセルＭＣよりも狭い通信エリアを持つが、「フェムト」及び「ピコ」という名称が示すように、一般に、フェムトセルＦＣの方が、ピコセルＰＣよりも狭い。
【００５５】
ＬＴＥにおいて、マクロＢＳ１ａ及びピコＢＳ１ｂは、ともに、ｅＮＢ（又は、単にＮＢ）とよばれる基地局装置である。マクロＢＳ１ａ及びピコＢＳ１ｂは、通信事業者によって設置されたものであるため、特別な事情が無い限り、本通信システムの加入者端末すべてがアクセス可能である。つまり、マクロＢＳ１ａ及びピコＢＳ１ｂは、公衆用基地局装置であるということができる。そして、マクロＢＳ１ａよりも小型の（小さいセルを形成する）基地局装置である。
【００５６】
一方、フェムトＢＳ１ｃは、ＨｅＮＢ（又は単に、ＨＮＢ）とよばれる基地局装置である。フェムトＢＳ１ｃは、通信システムの顧客（ユーザ）である個人又は企業などによって保有及び／又は設置される。つまり、フェムトＢＳ１ｃは、個人又は企業などによってプライベートに利用可能な基地局装置であるということができる。
【００５７】
フェムトＢＳ１ｃは、フェムトＢＳ１ｃの設置者又はその関係者などが優先して利用できるように、フェムトＢＳ１ｃにアクセス可能な端末装置２を制限することが可能である。この制限は、基地局装置１に設定されるアクセスモードによって実現される。
アクセスモードとは、基地局装置１が、端末装置２による無線接続の制限を規定するためのモードである。アクセスモードには、オープンアクセスモード、クローズドアクセスモード、及び、ハイブリッドモードの３種類がある。基地局装置は、これら３種類の異なるアクセスモードのいずれかのモードで運用される。
【００５８】
オープンアクセスモードとは、全ての端末装置２が接続可能なモードである。通信事業者が設置するマクロＢＳ１ａ及びピコＢＳ１ｂは、公共性が高いため、通常、オープンアクセスモードで運用される。したがって、通信システムの加入者端末装置２すべてが、すべてマクロＢＳ１ａ又はピコＢＳ１ｂにアクセスすることができる。
【００５９】
クローズドアクセスモードとは、このモードに設定されている基地局装置１を利用可能である端末装置２として登録されている端末装置２のみ、接続が許可されるモードである。端末装置２の登録は、クローズドアクセスモードに設定された基地局装置１においてされていてもよいし、基地局装置１が接続可能な他の装置においてされていてもよい。
以下、単に「フェムトＢＳ１ｃ」といった場合には、クローズドアクセスモードに設定されたフェムトＢＳ１ｃを指すものとする。
また、フェムトＢＳ１ｃが、クローズドアクセスモードに設定されたフェムトＢＳ１ｃであることを特に示したい場合には、クローズドアクセスモードに設定されたフェムトＢＳ１ｃを、「ＣＳＧ（Ｃｌｏｓｅｄ  Ｓｕｂｓｃｒｉｂｅｒ  Ｇｒｏｕｐ）フェムトＢＳ１ｃ」ということがある。
【００６０】
ハイブリッドモードとは、基本的に全ての端末装置２が接続可能であるが、登録されている端末装置２が、登録されていない端末装置２よりも優遇され、登録されていない端末装置２は接続できない場合があり得るモードである。
オープンアクセスモードに設定されたフェムトＢＳ１ｃは、公衆用基地局装置として機能する。以下、オープンアクセスモードに設定されたフェムトＢＳ１ｃを、「ＯｐｅｎフェムトＢＳ」という。
なお、ハイブリッドモードに設定されたフェムトＢＳ１ｃは、ＣＳＧフェムトＢＳとみなしてもよいし、ＯｐｅｎフェムトＢＳとみなしてもよい。
【００６１】
図２は、マクロＢＳ１ａ、ピコＢＳ１ｂ、及びフェムトＢＳ１ｃ（ＣＳＧフェムトＢＳ又はＯｐｅｎフェムトＢＳ）の各基地局装置を接続する基地局間ネットワーク（有線ネットワーク）を示している。ｅＮＢであるマクロＢＳ１ａ及びピコＢＳ１ｂは、Ｓ１インターフェースとよばれる通信インターフェースによる回線６を介して、ＭＭＥ（Mobility Management Entity）と接続されている。ＭＭＥ３は、端末装置２の位置等の管理を行い、各端末装置２の移動管理についての処理を行うノードである。
さらに、ｅＮＢ間はＸ２インターフェースと呼ばれる通信インターフェースによる回線７によって相互に接続されており、ｅＮＢ間で直接的に情報交換のための通信が可能である。ただし、現行の標準では、フェムトＢＳ１ｃはＸ２インターフェースを持つことができない。
なお、Ｘ２インターフェースによる接続は、図２に示す接続に限られず、任意のｅＮＢ間に設けることができる。
【００６２】
ＨｅＮＢであるフェムトＢＳ１ｃ(ＣＳＧフェムトＢＳ又はＯｐｅｎフェムトＢＳ)は、ＨｅＮＢゲートウェイ（ＧＷ）５を介してＭＭＥ３に接続されている。ＭＭＥ３とゲートウェイ５との間、及び、ゲートウェイ５とフェムトＢＳ１ｃとの間も、それぞれＳ１インターフェースと呼ばれる通信インターフェースによる回線６によって接続されている。
なお、フェムトＢＳ１ｃ(ＣＳＧフェムトＢＳ又はＯｐｅｎフェムトＢＳ)は、ＨｅＮＢゲートウェイ（ＧＷ）５を介さずに、Ｓ１インターフェースによって、ＭＭＥ３と接続されていてもよい。
【００６３】
上記のＳ１インターフェース及びＸ２インターフェースによるネットワークは、各基地局装置１ａ，１ｂ，１ｃの間を有線で接続する基地局間ネットワークを構成している。この基地局間ネットワークには、通信を管理するサーバ（図示省略）などの装置が設置される。
【００６４】
［２．ＬＴＥのフレーム構造］
本実施形態の通信システムが準拠するＬＴＥにおいて採用可能なＦＤＤ方式においては、上り信号（端末装置から基地局装置への送信信号）と、下り信号（基地局装置から端末装置への送信信号）との間で、互いに異なる使用周波数を割り当てることで、上り通信と下り通信とを同時に行う。
【００６５】
図３は、ＬＴＥにおける上り及び下りそれぞれの無線フレームの構造を示す図である。ＬＴＥにおける下りの基本フレームである無線フレーム（ＤＬフレーム）及び上りの無線フレーム（ＵＬフレーム）は、その１無線フレーム分の時間長さがそれぞれ１０ミリ秒であり、＃０〜＃９まで１０個のサブフレーム（一定の時間長さを持つ通信単位領域）によって構成されている。これらのＤＬフレームとＵＬフレームは、そのタイミングが揃えられた状態で、時間軸方向に配置される。
【００６６】
図４は、ＤＬフレーム（基地局装置の送信フレーム）の詳細な構造を示す図である。図中、縦軸方向は周波数を示しており、横軸方向は時間を示している。
ＤＬフレームを構成するサブフレームは、それぞれ２つのスロットにより構成されている。また、１つのスロットは、７個（♯０〜♯６）のＯＦＤＭシンボルにより構成されている（Ｎｏｒｍａｌ  Ｃｙｃｌｉｃ  Ｐｒｅｆｉｘの場合）。
また、図中、データ伝送の上での基本単位領域であるリソースブロック（ＲＢ：Ｒｅｓｏｕｒｃｅ  Ｂｌｏｃｋ）は、周波数軸方向に１２サブキャリア、時間軸方向に７ＯＦＤＭシンボル（１スロット）で定められる。
また、ＤＬフレームの周波数方向の帯域幅は、最大２０ＭＨｚで複数の設定値が規定されている。
【００６７】
図４に示すように、各サブフレームの先頭には、基地局装置１が端末装置２に対し、下り通信に必要な制御チャネルを割り当てるための伝送領域が確保されている。この伝送領域は、各サブフレームにおいて先頭側に位置するスロットのシンボル♯０〜♯２（最大で３シンボル）で割り当てられており、ユーザデータが格納されるＰＤＳＣＨ（ＰＤＳＣＨ：Ｐｈｙｓｉｃａｌ  Ｄｏｗｎｌｉｎｋ  Ｓｈａｒｅｄ  Ｃｈａｎｎｅｌ、後に説明する）及びＰＵＳＣＨ（ＰＵＳＣＨ：Ｐｈｙｓｉｃａｌ  Ｕｐｌｉｎｋ  Ｓｈａｒｅｄ  Ｃｈａｎｎｅｌ、後に説明する）の割当情報等を含む下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）や、ＰＤＣＣＨに関する情報を通知するための制御チャネル構成指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＵＳＣＨに対するハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）の受信成功通知（ＡＣＫ：Ａｃｋｎｏｗｌｅｄｇｅｍｅｎｔ）、受信失敗通知（ＮＡＣＫ：Ｎｅｇａｔｉｖｅ  Ａｃｋｎｏｗｌｅｄｇｅｍｅｎｔ）を送信するためのハイブリッドＡＲＱ指示チャネル（ＰＨＩＣＨ：Ｐｈｙｓｉｃａｌ  Ｈｙｂｒｉｄ−ＡＲＱ  Ｉｎｄｉｃａｔｏｒ  Ｃｈａｎｎｅｌ）が割り当てられている。
【００６８】
ＤＬフレームを構成する１０個のサブフレームの内、１番目（♯０）及び６番目（♯５）のサブフレームそれぞれには、基地局装置やセルを識別するための制御信号である、第一同期信号及び第二同期信号（Ｐ−ＳＣＨ：Ｐｒｉｍａｒｙ  Ｓｙｎｃｈｒｏｎｉｚａｉｔｏｎ  Ｃｈａｎｎｅｌ，Ｓ−ＳＣＨ：Ｓｅｃｏｎｄａｒｙ  Ｓｙｎｃｈｒｏｎｉｚａｉｔｏｎ  Ｃｈａｎｎｅｌ）が割り当てられている。
Ｐ−ＳＣＨは、時間軸方向において、サブフレーム♯０における先頭側のスロットの最後のＯＦＤＭシンボルであるシンボル♯６の位置に１つのシンボル幅で配置され、周波数軸方向において、ＤＬフレームの帯域幅の中央の位置に６リソースブロック幅分（７２サブキャリア）で配置されている。
【００６９】
Ｓ−ＳＣＨは、時間軸方向において、サブフレーム♯５における先頭側のスロットの最後から２番目のＯＦＤＭシンボルであるシンボル♯５の位置に１つのシンボル幅で配置され、周波数軸方向において、ＤＬフレームの帯域幅の中央の位置に６リソースブロック幅分（７２サブキャリア）で配置されている。
上記のように、下り信号は、サブフレームを複数配置することで構成されており、下り信号を構成する複数のサブフレームには、Ｐ−ＳＣＨ及びＳ−ＳＣＨを含むサブフレームと、同信号を含まないサブフレームとが含まれている。
Ｐ−ＳＣＨ及びＳ−ＳＣＨを含むサブフレーム（♯０及び♯５）は、下り信号をサブフレーム単位で着目した場合、飛び飛びに配置されている。また、Ｐ−ＳＣＨ及びＳ−ＳＣＨは、上記のようにＤＬフレームに配置されることで、１０サブフレームを１周期として、下り信号に周期的に配置されている。
【００７０】
上記のように周期的に配置されているＰ−ＳＣＨ及びＳ−ＳＣＨは、無線フレームを構成するサブフレームの送信タイミングを示している。このため、Ｐ−ＳＣＨ及びＳ−ＳＣＨは、端末装置が基地局装置との間で同期をとる場合のほか、基地局装置間において無線フレームの送信タイミング及び／又は周波数（クロック）を同期させる基地局間同期のための信号としても用いられる。
また、ＤＬフレームにおいて、１番目のサブフレーム♯０には、ブロードキャスト送信によってシステムの帯域幅等を端末装置に通知するための同報チャネル（ＰＢＣＨ：Ｐｈｙｓｉｃａｌ  Ｂｒｏａｄｃａｓｔ  Ｃｈａｎｎｅｌ）が割り当てられる。ＰＢＣＨは、時間軸方向において、１番目のサブフレーム♯０における後方側のスロットのシンボル♯０〜♯３の位置に４つのシンボル幅で配置され、周波数軸方向において、ＤＬフレームの帯域幅の中央の位置に６リソースブロック幅分（７２サブキャリア）で割り当てられる。この同報チャネルは、４フレームにわたって同一の情報を送信することで、４０ミリ秒ごとに更新されるように構成されている。
ＰＢＣＨには、通信帯域幅や、無線フレーム番号等を含んだマスタ情報ブロック（ＭＩＢ：Ｍａｓｔｅｒ  Ｉｎｆｏｒｍａｔｉｏｎ  Ｂｌｏｃｋ）が格納されている。
【００７１】
上述の各チャネルが割り当てられていない他のリソースブロックは、ユーザデータ等を格納するためのＤＬ共有チャネル（ＰＤＳＣＨ）として用いられる。このＰＤＳＣＨは、複数の端末装置で共有して用いられるエリアである。
ＰＤＳＣＨに格納されるユーザデータの割り当てについては、各サブフレームの先頭に割り当てられているＰＤＣＣＨに格納される、下りの無線リソース割当に関するリソース割当情報により端末装置に通知される。このリソース割当情報は、各ＰＤＳＣＨの無線リソース割当を示す情報であり、端末装置は、このリソース割当情報によって、そのサブフレーム内に自己に対するデータが格納されていることを認識できる。
Ｐ−ＳＣＨ，Ｓ−ＳＣＨ，ＰＢＣＨ、ＰＤＣＣＨその他の制御チャネルには、端末装置２がＰＤＳＣＨにて送信されるデータ信号を受信するために必要な各種の制御信号を含んでいるため、これらの制御チャネルが、電波干渉を受けると、ＰＤＳＣＨによって送信されたデータ信号の受信に支障を来たす。
【００７２】
また、ＰＤＳＣＨには、ユーザデータの他、各端末装置共通の制御信号、各端末装置個別の制御信号等も格納される。ＰＤＳＣＨに格納される制御信号としては、例えばシステム情報ブロック（ＳＩＢ：Ｓｙｓｔｅｍ  Ｉｎｆｏｒｍａｔｉｏｎ  Ｂｌｏｃｋ）が挙げられる。
【００７３】
上記ＰＤＣＣＨや、ＰＣＦＩＣＨ、ＰＢＣＨ等により送信される制御信号や、Ｐ−ＳＣＨ、Ｓ−ＳＣＨは、自装置に接続する端末装置に対して接続を維持するのに必要な情報を示す信号であり、端末装置は、これら各制御信号を読み込み、各情報に基づいて基地局装置との間の無線接続を維持する。
【００７４】
［３．基地局装置の構成］
図５は、フェムトＢＳ(ＣＳＧフェムトＢＳ)１ｃの構成を示すブロック図である。フェムトＢＳ１ｃは、アンテナ１１と、アンテナ１１が接続された送受信部（ＲＦ部）１０と、ＲＦ部１０にて送受信される信号の処理などを行う信号処理部２０とを備えている。
【００７５】
ＲＦ部１０は、上り信号受信部１２、下り信号受信部１３、及び送信部１４を備えている。上り信号受信部１２は、端末装置２からの上り信号を受信するためのものである。下り信号受信部１３は、他の基地局装置１からの下り信号を受信するためのものである。送信部１４は、端末装置２へ下り信号を送信するためのものである。
下り信号受信部１３が受信した下り信号は、信号処理部２０に与えられ、同期処理部２２又は図示しない復調部によって処理される。
【００７６】
信号処理部２０は、同期処理部２２、ブランク無線リソース設定部（ブランク区間設定部）２４、判定部２５、情報取得部２６、及び監視部２７を備えている。
同期処理部２２は、下り信号受信部１３が受信した他の基地局装置１（例えば、マクロＢＳ１ａ）の下り信号を取得し、下り信号に含まれる既知信号であるＰ−ＳＣＨ及びＳ−ＳＣＨに基づいて、自装置１ｃの無線フレームにおけるサブフレームの送信タイミングを当該他の基地局装置１との間で一致させる基地局間同期をとる同期処理を行う。なお、同期処理の際には、自装置１ｃの無線フレームにおけるサブフレームの送信タイミングを当該他の基地局装置１との間で所望時間ほどずれるように同期をとってもよい。
なお、ピコＢＳ１ｂ及び必要であればマクロＢＳ１ａも、基地局間同期処理機能を有しているため、同一のマクロセルＭＣ内の基地局装置１ａ，１ｂ，１ｃすべての基地局間同期を取ることが可能である。
【００７７】
基地局間同期は、図６に示すように、基地局間ネットワーク６，７を介して基地局間同期のための情報を基地局装置間で交換することで行ったり、あるいは、他の基地局装置１ａが送信した無線信号（下り信号）によって同期を行う「エア同期」によって行っても良い。また、各基地局装置１がＧＰＳ受信機を備え、ＧＰＳ信号によって同期をとってもよい。
【００７８】
エア同期で基地局間同期をとる場合、同期処理部２２は、自装置１ｃの起動時や、定期的又は外部からの指令に応じて、同期処理を行うことを決定すると、送信部１４による自装置の下り信号の送信を休止させて、下り信号受信部１３が受信した他の基地局装置１の下り信号を取得する。
同期処理部２２は、他の基地局装置１の下り信号に含まれる、周期的に配置されたＰ−ＳＣＨ及びＳ−ＳＣＨを検出し、当該他の基地局装置１における無線フレーム中のサブフレームの送信タイミングや周波数等を取得する。
さらに、同期処理部２２は、取得した他の基地局装置１の下り信号のサブフレームの送信タイミング及び周波数を基準として同期誤差を検出し、自装置１ｃのサブフレームの送信タイミングやサブフレームの長さが一致するように調整して同期をとる。
【００７９】
同期処理部２２は、マクロＢＳ１ａとの間で、基地局間同期処理を行うことで、マクロＢＳ１ａが送信するＤＬフレームにおいて、Ｐ−ＳＣＨ、Ｓ−ＳＣＨ、及びＰＢＣＨなどの保護されるべき制御信号が含まれるサブフレームの送信タイミングを把握することができる。
【００８０】
同期処理部２２は、マクロＢＳ１ａが送信するＤＬフレームにおいて、Ｐ−ＳＣＨ、Ｓ−ＳＣＨ、及びＰＢＣＨなどの保護されるべき制御信号が含まれるサブフレームの送信タイミングを取得すると、その送信タイミングを、ブランク区間設定部２４（図５参照）に通知する。なお、マクロＢＳ１ａが送信するＰ−ＳＣＨ、Ｓ−ＳＣＨ、及びＰＢＣＨなどの保護されるべき制御信号が含まれるサブフレームの送信タイミングは、情報取得部２６が、基地局間ネットワーク６，７を介して取得してもよい。
【００８１】
ブランク無線リソース設定部２４は、自装置１ｃが使用可能な無線リソース（時間リソース又は周波数リソース）のうち、ブランクとなる無線リソースを設定する。本実施形態において、ブランク無線リソース設定部２４は、自装置１ｃが送信するＤＬフレーム中の１又は複数のサブフレームを、ブランクサブフレーム（ブランク区間）として設定するブランク区間設定部として機能する。
ブランク区間設定部２４は、他の基地局装置が形成するセルに対して、できるだけ干渉を与えないように、ブランクサブフレームを設定する位置を調整する。
また、ブランク区間設定部２４は、他の基地局装置のブランクサブフレームの位置に応じて、ブランクサブフレームを設定する位置を調整する。
また、ブランク区間設定部２４は、自装置１ｃの近傍にピコＢＳ１ｂが存在するか否かに応じて、ブランクサブフレームを設定する位置を調整する。
【００８２】
図１において、ピコＢＳ１ｂを考慮せずに、フェムトＢＳ１ｃとマクロＢＳ１ｂとの間の干渉だけを考えた場合、図７に示すように、ブランク区間設定部２４は、マクロＢＳ１ａが送信する制御信号の送信タイミング（送信区間）に対応する自装置１ｃのＤＬフレーム中のサブフレームを、ブランクサブフレームとして設定する。
なお、ブランクサブフレームは、マクロＢＳ１ａが送信する全ての制御信号に対応する位置に設定される必要はなく、マクロＢＳ１ａが送信する制御信号のうち、保護が望まれる制御信号に対応する位置に設定されれば足りる。
【００８３】
ブランクサブフレームは、サブフレーム中に実質的にデータ信号がなく、ヌル（ｎｕｌｌ）信号が送信されるサブフレームである。これにより、マクロＢＳ１ａに接続する端末装置２（以下、「マクロ端末」という）は、マクロＢＳ１ａが送信した制御信号（Ｐ−ＳＣＨ、Ｓ−ＳＣＨ、及びＰＢＣＨなど）を受信する際に、フェムトＢＳ１ｃからの電波干渉を受けることが抑制される。
【００８４】
つまり、フェムトセルＦＣ内においては、フェムトＢＳ１ｃにおける端末アクセス制限のため、フェムトＢＳ１ｃへのアクセス権限のない一般の端末装置２は、フェムトＢＳ１ｃに接続できない。つまり、端末装置２は、フェムトセルＦＣ内に存在していても、フェムトＢＳ１ｃよりも、マクロＢＳ１ａへの接続が優先され、マクロ端末となる。したがって、マクロ端末は、フェムトＢＳ１ｃから強い電波干渉を受け、マクロＢＳ１ａからの制御信号（以下、「マクロ制御信号」という）すら受信できないおそれがある。
【００８５】
これに対して、フェムトＢＳ１ｃが、保護が所望されるマクロ制御信号に対応するフレーム位置に、ブランクサブフレームを設定することで、マクロ端末は、マクロ制御信号を受信することができる。
【００８６】
本実施形態において、ブランク区間設定部２４は、ブランクサブフレーム（ブランク区間）として、ＡＢＳ（Almost Blank Subframe）を用いる。ＡＢＳは、データ信号（ＰＤＳＣＨ）は含まないものの、参照信号（ＣＲＳ；Cell-speciffic Reference Signal）及び／又はその他必要とされる最低限の制御信号を含むブランクサブフレームである。
また、ブランクサブフレームは、データ信号が存在しており通信に使用されているサブフレームであっても、そのサブフレームの信号の電力が小さく抑えられており、基地局装置から十分に離れると実質的に使用されていないブランクサブフレームであるとみなせるものであってもよい。
【００８７】
また、ブランクサブフレーム（ブランク区間）としては、ＡＢＳ以外に、ＭＢＭＳ（Multimedia Broadcast Multicast Service）用のサブフレーム（ＭＢＳＦＮ）を用いてもよい。ＭＢＭＳは、ＴＶ放送サービス等のブロードキャストサービスであり、複数の基地局装置から同じ情報を同じリソースを用いて同じタイミングで送信される。
ＭＢＭＳは、ブロードキャストサービスであるため、ＭＢＭＳに用いられるＭＢＳＦＮサブフレームでは、ＭＢＭＳに係る情報の他、当該サブフレームがＭＢＳＦＮサブフレームである旨等の必要最小限の制御情報が制御チャネル（サブフレーム先頭側の２シンボル）を用いて送信され、特定の端末装置に向けた制御情報は送信されない。
本実施形態では、ＭＢＳＦＮを、ブランクとするため、フェムトＢＳ１ｃが送信するＭＢＳＦＮ中のデータ信号としてヌル信号が設定される。ヌル信号を送信するＭＢＳＦＮは、参照信号を含む必要がないため、ＡＢＳよりも、より完全なブランクサブフレームに近いものとなる。
このように、ブランクサブフレーム（ブランク区間）は、信号が全く存在しないものである必要はなく、実質的に信号のブランクが存在するものであれば足りる。
また、ブランク無線リソースとなる無線リソースは、周波数リソースであってもよい。例えば、基地局装置が使用可能な周波数（キャリア）のうち、不使用とする周波数（ブランクキャリア）を確保してもよい。干渉を与えたくない他セルが使用する周波数（キャリア）を、不使用の周波数（ブランクキャリア）として設定することで、他セルへ干渉を与えるのを回避することができる。以下の説明では、無線リソースの例として時間リソースであるサブフレームを挙げて説明するが、以下の説明は、無線リソースが周波数（キャリア）である場合にも適用される。つまり、ブランク無線リソース設定部２４は、ブランクキャリア設定部として機能してもよい。
【００８８】
図７に示すように、マクロＢＳ１ａとフェムトＢＳ１ｃとの間の関係では、公衆用基地局装置であるマクロＢＳ１ａの制御信号が保護されるべきであり、プライベートに利用されるフェムトＢＳ１ｃの送信フレーム中にブランクサブフレームが設定される。これは、一般の端末装置２は、プライベートに利用されるフェムトＢＳ１ｃではなく、公衆用基地局装置であるマクロＢＳ１ａに優先して接続されるためである。
一方、ともに公衆用基地局装置であるマクロＢＳ１ａとピコＢＳ１ｂとの間の関係では、本実施形態では、ピコＢＳ１ｂの制御信号の保護を優先する。したがって、図８に示すように、マクロＢＳ１ａの送信フレーム中にブランクサブフレーム（ブランク区間）が設定される。
【００８９】
本実施形態において、マクロＢＳ１ａよりもピコＢＳ１ｂの制御信号の保護を優先したのは、マクロセルＭＣ内のマクロ端末を、できるだけピコセルＰＣに収容させて、マクロＢＳ１ａの負荷を軽減するという観点によるものである。かかる観点において、端末装置２は、可能な限り、マクロＢＳ１ａよりもピコＢＳ１ｂに接続することが望ましい。つまり、端末装置２は、マクロＢＳ１ａよりもピコＢＳ１ｂに優先して接続される。したがって、ピコＢＳ１ｂの制御信号（ピコ制御信号）の保護が重要となる。
【００９０】
なお、ブランクサブフレームを設定するマクロＢＳ１ａは、フェムトＢＳ１ｃと同様に、基地局間ネットワーク（Ｘ２インタフェース）を介して、ピコＢＳ１ｂの同期情報及び／又は制御信号の送信タイミング情報を取得する。そして、マクロＢＳ１ａのブランク区間設定部２４は、保護が所望されるピコ制御信号に対応するフレーム位置に、ブランクサブフレームを設定する。これにより、端末装置２は、ピコ制御信号をより確実に受信することができる。
【００９１】
前述のように、ピコＢＳ１ｂの存在を考慮しない場合、図７に示すように、フェムトＢＳ１ｃのブランク区間設定部２４は、マクロ制御信号を保護するように、ブランクサブフレームを設定した。
これに対し、フェムトＢＳ１ｃの近傍に位置するピコＢＳ１ｂの存在を考慮する場合、フェムトＢＳ１ｃのブランク区間設定部２４は、図９に示すように、マクロ制御信号に対応するフレーム位置ではなく、ピコ制御信号に対応するフレーム位置にＡＢＳなどのブランクサブフレームを設定する。
これにより、ピコ制御信号が、フェムトＢＳ１ｃのブランクサブフレーム（ＡＢＳ）によって保護される。また、マクロＢＳ１ａのブランク区間設定部２４も、フェムトＢＳ１ｃと同様に、ピコ制御信号に対応するフレーム位置にＡＢＳなどのブランクサブフレームを設定する。
【００９２】
図９に示すように、マクロＢＳ１ａ及びフェムトＢＳ１ｃが設定するブランクサブフレームの位置は同じとなる。このため、フェムトＢＳ１ｃは、マクロＢＳ１ａにおけるブランクサブフレーム（ブランク区間）の位置に対応する位置にブランクサブフレームを設定することで、ピコ制御信号を保護することができる。つまり、フェムトＢＳ１ｃは、マクロＢＳ１ａが設定したブランクサブフレームの位置に倣って、自装置１ｃにおけるブランクサブフレームの位置を設定する。
【００９３】
フェムトＢＳ１ｃが、マクロＢＳ１ａの送信フレーム中のブランクサブフレーム（ＡＢＳ及び／又はＭＢＳＦＮなど）の位置を把握するための経路としては、図１０に示すように、いくつかのバリエーションがある。例えば、フェムトＢＳ１ｃの情報取得部２６は、Ｘ２，Ｓ１インターフェースなどの基地局間ネットワークを介して、マクロＢＳ１ａから、ブランクサブフレーム（ブランク無線リソース）の位置を示す情報（図１０中の「ＡＢＳ情報」）を取得できる。なお、ブランク無線リソースが周波数リソースである場合には、情報取得部２６は、使用可能な周波数のうち、ブランク周波数（ブランクキャリア）の周波数位置を示す情報を取得する。
【００９４】
フェムトＢＳ１ｃの情報取得部２６は、無線で、マクロＢＳ１ａからＡＢＳ情報を取得したり、マクロＢＳ１ａからＡＢＳ情報を取得したマクロ端末２ａから、無線で、ＡＢＳ情報を取得したりすることもできる。
さらには、フェムトＢＳ１ｃは、マクロＢＳ１ａから基地局間ネットワークを介してＡＢＳ情報を取得したピコＢＳ１ｂから、基地局間ネットワーク又は無線によって、マクロＢＳ１ａのＡＢＳ情報（マクロＡＢＳ情報）を取得してもよい。さらに、フェムトＢＳ１ｃは、ピコＢＳ１ｂからマクロＡＢＳ情報を取得したピコ端末２ｂから、無線で、マクロＡＢＳ情報を取得することもできる。
なお、フェムトＢＳ１ｃは、図１０に示す経路で、マクロ制御信号及び／又はピコ制御信号の位置を取得することもできる。
【００９５】
図１１は、フェムトＢＳ１ｃの近傍に存在するピコＢＳ１ｂを考慮する場合におけるブランクサブフレーム（ＡＢＳ）の設定の仕方の他の例を示している。図１１では、フェムトＢＳ１ｃのブランク区間設定部２４は、ピコ制御信号及びマクロ制御信号の双方を保護するように、ブランクサブフレームを設定している。
つまり、フェムトＢＳ１ｃは、マクロＢＳ１ａのブランクサブフレームの位置に倣った上で、さらに、マクロセルＭＣへの干渉を防止するためのブランクサブフレームを追加的に設定している。
【００９６】
図１１の場合、ピコ制御信号及びマクロ制御信号の双方が保護されることになるという点で、図９に比べて有利である。
一方、図１１の場合、フェムトＢＳ１ｃが送信するフレーム中においてブランクサブフレームが占める割合が多くなり、フェムトセルＦＣ内の通信に制約が生じる。この点に関し、図９の場合、フェムトＢＳ１ｃが送信するフレーム中においてブランクサブフレームが占める割合が比較的少なく有利である。
【００９７】
［３．１  送信電力による判定］
フェムトＢＳ１ｃの近傍にピコＢＳ１ｂが存在するか否かの判定は、フェムトＢＳ１ｃの判定部２５（図５参照）によって行われる。
図１２は、送信電力を用いた判定方法を示している。ここでは、判定に、フェムトＢＳ１ｃの近傍の基地局装置から送信されたＤＬフレームに含まれるＤＬ電力パラメータ（送信電力情報；ＤＬ送信電力の制限値）を用いる。ＤＬの送信電力の大きさは、セル半径を規定するものであり、セル半径は、マクロセルＭＣ、ピコセルＰＣ、フェムトセルＦＣそれぞれで異なる（マクロセル半径＞ピコセル半径＞フェムトセル半径）。なお、ＬＴＥにおいては、ＤＬ電力パラメータとして、ＳＩＢ２（SystemInformationBlockType2）メッセージ内のＲｅｆｅｒｅｎｃｅ  Ｓｉｇｎａｌ  Ｐｏｗｅｒ（参照信号の電力の大きさ）を利用することができる。
【００９８】
ＤＬ電力パラメータをピコＢＳ１ｂの存在の有無の判定に用いる場合、フェムトＢＳ１ｃは、図１３に示すように、近傍の他の基地局装置から送信されたＤＬフレームを傍受する。そして、フェムトＢＳ１ｃの情報取得部２６は、フェムトＢＳ１ｃの近傍の基地局装置それぞれから送信されたＤＬフレームに含まれるＤＬ電力パラメータ（送信電力情報）を取得する（ステップＳ１１）。判定部２５は、取得されたＤＬ電力パラメータが示す送信電力値が、ピコＢＳ１ｂについて設定される送信電力値であるか、又はピコＢＳ１ｂについて設定される所定の送信電力の範囲内であるかを判定することによって、判定部２５は、ピコＢＳ１ｂが自装置１ｃの近傍に存在するか否かを判定する（ステップＳ１２）。
【００９９】
ピコＢＳ１ｂが自装置１ｃの近傍に存在すると判定された場合、設定部２４は、図９に示すように、ピコ制御信号を保護するようにＡＢＳなどのブランク区間の位置を設定する（ステップＳ１３）。つまり、フェムトＢＳ１ｃは、マクロＢＳ１ａから取得したＡＢＳ情報に基づいて、マクロＢＳ１ａのＡＢＳと同じ位置に、ＡＢＳを設定する。また、設定部２４は、必要であれば、図１１に示すように、マクロ制御信号も保護するようにＡＢＳなどのブランク区間の位置を設定する。
ピコＢＳ１ｂが自装置１ｃの近傍に存在しないと判定された場合、設定部２４は、図７に示すように、ピコ制御信号の保護は考慮せずに、マクロ制御信号を保護するように、ＡＢＳなどのブランク区間の位置を設定する（ステップＳ１４）。つまり、フェムトＢＳ１ｃは、マクロＢＳ１ａから取得したＡＢＳ情報を考慮せずに、ブランク位置の設定を行う。
【０１００】
［３．２  セルＩＤによる判定］
図１４は、判定部２５が、フェムトＢＳ１ｃの近傍にピコＢＳ１ｂが存在するか否かの判定を、近傍の基地局装置１のセルＩＤ（基地局装置のＩＤ）に基づいて行う方法を示している。
セルＩＤをピコＢＳ１ｂの存在の有無の判定に用いる場合、フェムトＢＳ１ｃは、図１５に示すように、近傍の他の基地局装置から送信されたＤＬフレームを傍受する。そして、フェムトＢＳ１ｃの情報取得部２６は、フェムトＢＳ１ｃの近傍の基地局装置それぞれから送信されたＤＬフレームに含まれるセルＩＤを取得する（ステップＳ２１）。ここでのセルＩＤは、ＤＬフレームを送信した基地局装置自身のセルＩＤ（自セルＩＤ）である。ＬＴＥにおいて、自セルＩＤは、ＳＩＢ１（System Information Block Type 1）内に、端末装置２への報知情報（Broadcast Information）として含まれている。
【０１０１】
マクロＢＳ１ａは、当該マクロＢＳ１ａが形成するマクロセルＭＣ内にある配下のピコＢＳ１ｂのセルＩＤを把握しており、図１６に示すように、マクロＢＳ１ａの配下のピコＢＳ１ｂのセルＩＤ（配下のピコセル情報）は、基地局間ネットワーク又は無線で、フェムトＢＳ１ｃに通知される。フェムトＢＳ１ｃの情報取得部２６は、マクロＢＳ１ａから通知されたピコＢＳ１ｂのセルＩＤを取得する。
【０１０２】
判定部２５は、ステップＳ２１で取得されたセルＩＤと、マクロＢＳ１ａから通知されたピコＢＳ１ｂのセルＩＤと、を比較することによって、ピコＢＳ１ｂが自装置１ｃの近傍に存在するか否かを判定する（ステップＳ２２）。他の基地局装置からのＤＬフレームをフェムトＢＳ１ｃが受信できたということは、当該他の基地局装置は、電波干渉が問題になる程度に、フェムトＢＳ１ｃの近傍に存在することを意味する。したがって、ＤＬフレームを受信できた他の基地局装置がピコＢＳ１ｂであれば、当該ピコＢＳ１ｂは、自装置１ｃの近傍に存在していることを意味する。
【０１０３】
ステップＳ２２の判定の結果、ピコＢＳ１ｂが自装置１ｃの近傍に存在すると判定された場合、設定部２４は、図９に示すように、ピコ制御信号を保護するようにＡＢＳなどのブランク区間の位置を設定する（ステップＳ２３）。つまり、フェムトＢＳ１ｃは、マクロＢＳ１ａから取得したＡＢＳ情報に基づいて、マクロＢＳ１ａのＡＢＳと同じ位置に、ＡＢＳを設定する。また、設定部２４は、必要であれば、図１１に示すように、マクロ制御信号も保護するようにＡＢＳなどのブランク区間の位置を設定する。
ピコＢＳ１ｂが自装置１ｃの近傍に存在しないと判定された場合、設定部２４は、図７に示すように、ピコ制御信号の保護は考慮せずに、マクロ制御信号を保護するように、ＡＢＳなどのブランク区間の位置を設定する（ステップＳ２４）。つまり、フェムトＢＳ１ｃは、マクロＢＳ１ａから取得したＡＢＳ情報を考慮せずに、ブランク位置の設定を行う。
【０１０４】
［３．３  セル種別による判定］
図１７は、判定部２５が、フェムトＢＳ１ｃの近傍にピコＢＳ１ｂが存在するか否かの判定を、近傍の基地局装置１のセル種別（基地局装置がピコＢＳ１ｂであることを示す情報）に基づいて行う方法を示している。
セル種別をピコＢＳ１ｂの存在の有無の判定に用いる場合、フェムトＢＳ１ｃは、図１８に示すように、近傍の他の基地局装置から送信されたＤＬフレームを傍受する。そして、フェムトＢＳ１ｃの情報取得部２６は、フェムトＢＳ１ｃの近傍の基地局装置それぞれから送信されたＤＬフレームに含まれるセル種別付セル情報を取得する（ステップＳ３１）。セル種別付セル情報は、ＤＬフレームを送信した基地局装置に関する自セル情報であり、図１９に示すように、自セルＩＤと、自セル種別と、を含んでいる。
【０１０５】
自セルＩＤは、ＤＬフレームを送信した基地局装置自体を特定するＩＤであり、自セル種別は、ＤＬフレームを送信した基地局装置の種別（マクロ、ピコ、フェムト）を示す情報である。自セル種別の受信側は、自セル種別に基づいて、ＤＬフレームを送信した基地局装置の種別を認識することができる。なお、基地局装置の種別を示す情報は、ＯｐｅｎフェムトとＣＳＧフェムトとを区別して示す情報であってもよい。
ＬＴＥの現行標準では、自セルに関する情報は基本的にSystem Information Block Type 1 (SIB1)に含まれており、Master Information Block (MIB)の取得後、最初に取得されるシステム情報がSIB1であることから、セル選択処理の初期段階で取得できることからも、自セル種別をSIB1に設定しておくことが好ましい。
本実施形態では、端末装置２に報知される自セル情報（ブロードキャスト情報）として、セル種別が含まれているため、端末装置２においても、アクセス先のセル種別（基地局装置の種別）を認識して、セル種別に応じた処理が可能となるなどの利点がある。
なお、図２７に、ＳＩＢ１の自セル情報にセル種別情報を追加した具体例を示した（図２７の下線部が、セル種別情報に関する追加部分）。
【０１０６】
判定部２５は、ステップＳ３１で取得されたセル種別が、ピコセル（ピコＢＳ）であるか否かを確認すること（ピコセルであることを示す情報が含まれていることを確認すること）によって、ピコＢＳ１ｂが自装置１ｃの近傍に存在するか否かを判定する（ステップＳ３２）。他の基地局装置からのＤＬフレームをフェムトＢＳ１ｃが受信できということは、当該他の基地局装置は、電波干渉が問題になる程度に、フェムトＢＳ１ｃの近傍に存在することを意味する。したがって、ＤＬフレームを受信できた他の基地局装置がピコセル（ピコＢＳ）であれば、当該ピコＢＳ１ｂは、自装置１ｃの近傍に存在していることを意味する。
【０１０７】
ステップＳ３２の判定の結果、ピコＢＳ１ｂが自装置１ｃの近傍に存在すると判定された場合、設定部２４は、図９に示すように、ピコ制御信号を保護するようにＡＢＳなどのブランク区間の位置を設定する（ステップＳ３３）。つまり、フェムトＢＳ１ｃは、マクロＢＳ１ａから取得したＡＢＳ情報に基づいて、マクロＢＳ１ａのＡＢＳと同じ位置に、ＡＢＳを設定する。また、設定部２４は、必要であれば、図１１に示すように、マクロ制御信号も保護するようにＡＢＳなどのブランク区間の位置を設定する。
ピコＢＳ１ｂが自装置１ｃの近傍に存在しないと判定された場合、設定部２４は、図７に示すように、ピコ制御信号の保護は考慮せずに、マクロ制御信号を保護するように、ＡＢＳなどのブランク区間の位置を設定する（ステップＳ３４）。つまり、フェムトＢＳ１ｃは、マクロＢＳ１ａから取得したＡＢＳ情報を考慮せずに、ブランク位置の設定を行う。
【０１０８】
［３．４  隣接基地局リストによる判定］
図２０は、判定部２５が、フェムトＢＳ１ｃの近傍にピコＢＳ１ｂが存在するか否かの判定を、近傍の基地局装置１が送信した隣接基地局リストに基づいて行う方法を示している。
隣接基地局リストをピコＢＳ１ｂの存在の有無の判定に用いる場合、フェムトＢＳ１ｃは、図２１に示すように、近傍の他の基地局装置から送信されたＤＬフレームを傍受する。そして、フェムトＢＳ１ｃの情報取得部２６は、フェムトＢＳ１ｃの近傍の基地局装置それぞれから送信されたＤＬフレームに含まれる隣接基地局リストを取得する（ステップＳ４１）。
【０１０９】
隣接基地局リストは、ＤＬフレームを送信した基地局装置１の近傍に存在する基地局装置１（同一周波数の隣接基地局（セル））のリストである。ＬＴＥにおいて、隣接基地局リストはSystem Information Block Type 4 (SIB4)で、端末装置に報知される。この隣接基地局リストに、セル種別を判別するための情報（IE）を追加することで、事前に、隣接基地局が、ピコＢＳであることを端末装置へ通知（ブロードキャスト送信）することができる。
つまり本実施形態の隣接基地局リストでは、図２２に示すように、近傍に存在する基地局装置１（セル）を示す隣接基地局セルＩＤ（近傍基地局装置ＩＤ）のほか、当該隣接基地局セルのセル種別（基地局装置の種別）を示す情報も含まれている。
なお、図２８に、ＳＩＢ４の隣接基地局リストにセル種別情報を追加した具体例を示した（図２８の下線部がセル種別情報に関する追加部分）。
本実施形態では、端末装置２に報知される隣接基地局リストとして、セル種別が含まれているため、端末装置２においても、アクセス先のセル種別（基地局装置の種別）に応じた処理が可能となるなどの利点がある。より具体的には、端末装置２は、通信のアイドル状態（携帯電話における待ち受け状態）にあるとき等において、隣接基地局リスト中のピコＢＳを（マクロＢＳよりも）優先して、接続先となる基地局装置１として選択するなどの処理を行うことができる。
【０１１０】
フェムトＢＳ１ｃは、ステップＳ４１で取得された隣接基地局リストから、セル種別がピコセルである隣接セル（隣接ピコＢＳ）を抽出する（ステップＳ４２）。つまり、ピコセルであることを示す情報が隣接リストに含まれているか否かを判定する。
フェムトＢＳ１ｃの判定部２５は、ステップＳ４２で隣接ピコＢＳが抽出された場合には、フェムトＢＳ１ｃの近傍に、ピコＢＳ１ｂが存在すると判定することができる。ただし、ステップＳ４２の段階では、フェムトＢＳ１ｃの近傍ＢＳの近傍ＢＳがピコＢＳ１ｂであると判定したものである。
【０１１１】
そこで、フェムトＢＳ１ｃは、判定をより確実に行うために、ステップＳ４２にて抽出された隣接ピコＢＳからの電波（ＤＬフレーム）の検出を試みる（ピコＢＳの探索；ステップＳ４３）。ピコＢＳの探索は、ステップＳ４２にて抽出された隣接ピコのセルＩＤが、自セルＩＤとして格納されたＤＬフレームの電波を測定することによって行われる。
【０１１２】
ステップＳ４２にて抽出された隣接ピコのセルＩＤが自セルＩＤとして格納されたＤＬフレームの電波を観測できた場合、又は、当該電波強度が所定の閾値以上であった場合には、判定部２５は、フェムトＢＳ１ｃの近傍にピコＢＳ１ｂが存在すると判定する（ステップＳ４４）。
【０１１３】
ステップＳ４４の判定の結果、ピコＢＳ１ｂが自装置１ｃの近傍に存在すると判定された場合、設定部２４は、図９に示すように、ピコ制御信号を保護するようにＡＢＳなどのブランク区間の位置を設定する（ステップＳ３３）。つまり、フェムトＢＳ１ｃは、マクロＢＳ１ａから取得したＡＢＳ情報に基づいて、マクロＢＳ１ａのＡＢＳと同じ位置に、ＡＢＳを設定する。また、設定部２４は、必要であれば、図１１に示すように、マクロ制御信号も保護するようにＡＢＳなどのブランク区間の位置を設定する。
ピコＢＳ１ｂが自装置１ｃの近傍に存在しないと判定された場合、設定部２４は、図７に示すように、ピコ制御信号の保護は考慮せずに、マクロ制御信号を保護するように、ＡＢＳなどのブランク区間の位置を設定する（ステップＳ３４）。つまり、フェムトＢＳ１ｃは、マクロＢＳ１ａから取得したＡＢＳ情報を考慮せずに、ブランク位置の設定を行う。
【０１１４】
［３．５  セル拡張処理の有無による判定］
図２３は、判定部２５が、フェムトＢＳ１ｃの近傍にピコＢＳ１ｂが存在するか否かの判定を、セル拡張処理の有無に基づいて行う方法を示している。
セル拡張処理（ＲＥ；Range Expansion）は、より多くの端末装置を自セル内に収容するために、自セルを拡張する処理である。ピコＢＳ１ｂは、このセル拡張処理を行うため、セル拡張処理を行っている近傍ＢＳが存在すれば、フェムトＢＳ１ｃの近傍にピコＢＳ１ｂが存在すると判定することができる。
【０１１５】
セル拡張処理を監視するには、フェムトＢＳ１ｃの監視部２７が、図２４に示すように、近傍の他の基地局装置から送信されたＤＬフレーム又はＵＬフレームを傍受する（ステップＳ５１）。近傍の他の基地局装置が、端末装置との間において、セル拡張処理のためのメッセージのやりとりを行っていることが検出できれば、フェムトＢＳ１ｃの近傍にピコＢＳ１ｂが存在すると判定することができる（ステップＳ５２）。
【０１１６】
ステップＳ５２の判定の結果、ピコＢＳ１ｂが自装置１ｃの近傍に存在すると判定された場合、設定部２４は、図９に示すように、ピコ制御信号を保護するようにＡＢＳなどのブランク区間の位置を設定する（ステップ５３３）。つまり、フェムトＢＳ１ｃは、マクロＢＳ１ａから取得したＡＢＳ情報に基づいて、マクロＢＳ１ａのＡＢＳと同じ位置に、ＡＢＳを設定する。また、設定部２４は、必要であれば、図１１に示すように、マクロ制御信号も保護するようにＡＢＳなどのブランク区間の位置を設定する。
ピコＢＳ１ｂが自装置１ｃの近傍に存在しないと判定された場合、設定部２４は、図７に示すように、ピコ制御信号の保護は考慮せずに、マクロ制御信号を保護するように、ＡＢＳなどのブランク区間の位置を設定する（ステップＳ５４）。つまり、フェムトＢＳ１ｃは、マクロＢＳ１ａから取得したＡＢＳ情報を考慮せずに、ブランク位置の設定を行う。
【０１１７】
なお、図２４に示すように、ピコＢＳ１ｂは、セル拡張処理を行う際には、マクロＢＳ１ａから、基地局間ネットワークを介して、マクロＢＳ１ａのＡＢＳ（マクロＡＢＳ）のフレーム位置を示すＡＢＳ情報を取得しておく。そして、ピコＢＳ１ｂ及びピコ端末２ｂは、マクロＡＢＳの区間において、セル拡張処理を行うことで、マクロＢＳ１ａからの干渉を回避しつつ、セル拡張処理を行うことができる。
【０１１８】
［３．６  基地局間ネットワークからの情報による判定］
上記［３．１］〜［３．５］の判定方法は、無線で得た情報に基づいて、フェムトＢＳ１ｃの近傍にピコＢＳ１ｂ（他の基地局装置）が存在するか否かの判定を行っているが、基地局間ネットワークからの情報に基づいて、判定を行っても良い。フェムトＢＳ１ｃの情報取得部２６が、基地局間ネットワークから取得する情報としては、上記［３．１］〜［３．５］で取得した情報と同様の情報であってもよいが、図２５に示すように、ピコＢＳ１ｂが自装置１ｃの近傍に存在するか否かを直接的に示す情報（ピコＢＳ情報）であってもよい。なお、基地局間ネットワークからの情報に基づいて、判定を行う場合、当該情報の送信元は、基地局装置である必要はなく、基地局装置の情報を管理しているサーバ（管理装置）であってもよい。
【０１１９】
［３．７  サーバからの情報による判定］
図２６は、基地局間ネットワーク又は基地局間ネットワークに接続されたネットワークに設けられたサーバ（管理装置）９から送信された情報に基づいて、フェムトＢＳ１ｃの近傍にピコＢＳ１ｂが存在するか否かの判定を行う方法を示している。
【０１２０】
図２６に示すように、サーバ９は、記憶部（データベース）９ａと、判定部９ｂと、情報送信部９ｃと、を備えている。サーバ９の記憶部９ａは、複数の基地局装置を管理する管理テーブルを備えている。管理テーブルには、各基地局装置のセルＩＤ（基地局装置ＩＤ）、当該基地局装置のセル種別（基地局装置種別）、当該基地局装置の位置などが格納されている。
管理テーブルに設定されている情報は、基地局装置の設置時等にサーバ９に対して入力されたものである。なお、管理テーブルに設定されている情報は、設置された基地局装置から基地局間ネットワーク等のネットワークを介して収集されたものであってもよい。
【０１２１】
基地局装置（特に、フェムトＢＳ１ｃ）１は、サーバ９に対して、自装置１の近傍にピコＢＳ１ｂが存在するか否かの問い合わせ、あるいは、自装置１の近傍に存在する他の基地局装置のセル種別の問い合わせ、を送信する。これらの問い合わせには、問い合わせを送信した基地局装置１のセルＩＤ及び必要であれば当該基地局装置１の位置情報が含まれる。
近傍にピコＢＳ１ｂ（他の基地局装置）が存在するか否かの問い合わせを基地局装置１から受けたサーバ９は、問い合わせを発した基地局装置１のセルＩＤに基づいて、管理テーブルの位置情報を参照し、当該基地局装置１の位置を特定する（この位置の特定は、問い合わせに位置情報が含まれていれば不要）。さらに、サーバ９は、特定された基地局装置１の位置と、管理テーブルにおける他の基地局装置の位置とを比較し、問い合わせを発した基地局装置１の近傍に位置する他の基地局装置を抽出する。
【０１２２】
サーバ９の判定部９ｂは、管理テーブルのセル種別情報を参照し、抽出された他の基地局装置の中に、セル種別がピコセル（ピコＢＳ）であるものが含まれていれば、問い合わせを発した基地局装置１の近傍にピコＢＳが存在すると判定する。
そして、サーバ９の情報送信部９ｃは、基地局装置１からの問い合わせに対する応答として、近傍にピコＢＳが存在することを示す情報（ピコＢＳ情報）を送信する。
サーバ９の判定部９ｂは、抽出された他の基地局装置の中に、セル種別がピコセル（ピコＢＳ）であるものが含まれていなければ、問い合わせを発した基地局装置１の近傍にピコＢＳが存在しないと判定する。そして、情報送信部９ｃは、基地局装置１からの問い合わせに対する応答として、近傍にピコＢＳが存在しないことを示す情報（ピコＢＳ情報）を送信する。なお、本実施形態において、ピコＢＳ情報とは、ピコＢＳ１ｂが近傍に存在するか否かを示す情報である。
【０１２３】
また、近傍に存在する他の基地局装置のセル種別の問い合わせを受けたサーバ９は、問い合わせを発した基地局装置１のセルＩＤに基づいて、管理テーブルの位置情報を参照し、当該基地局装置１の位置を特定する（この位置の特定は、問い合わせに位置情報が含まれていれば不要）。さらに、サーバ９は、特定された基地局装置１の位置と、管理テーブルにおける他の基地局装置の位置とを比較し、問い合わせを発した基地局装置１の近傍に位置する他の基地局装置を抽出する。
【０１２４】
そして、サーバ９の情報送信部９ｃは、管理テーブルを参照するとともに、抽出された１又は複数の他の基地局装置それぞれのセル種別を取得し、各基地局装置のセル種別を示す情報（セル種別情報）を、基地局装置１からの問い合わせに対する応答として送信する。
【０１２５】
ピコＢＳ情報又はセル種別情報を応答として受信した基地局装置（フェムトＢＳ１ｃ）１の判定部２５は、受信したピコＢＳ情報又はセル種別情報に基づいて、自装置１の近傍にピコＢＳが存在するか否かを判定することができる。
なお、サーバ（管理装置）９は、独立した装置として設けられている必要はなく、サーバ（管理装置）９の機能は、例えば、基地局装置が有していても良い。
【０１２６】
また、サーバ９は、基地局装置１からの問い合わせを受けることなく、自発的に、ピコＢＳ情報やピコ種別情報を、基地局装置１に対して送信してもよい。サーバ９は、管理テーブルが有する情報（セル種別など）を、フェムトＢＳ１ｃ以外の種別の基地局装置（マクロＢＳ又はピコＢＳ）に送信してもよい。
【０１２７】
［４．基地局の種別と接続の優先度］
図２９は、マクロＢＳ１ａが形成するマクロセル内にピコＢＳ１ｂが存在し、ピコＢＳ１ｂが形成するピコセルＰＣ内に、ＣＧＳフェムトＢＳ１ｃ及びＯｐｅｎフェムトＢＳ１ｃ−１が存在している様子を示している。
【０１２８】
図３０は、これら４種類の基地局装置に関し、一般のユーザ（端末装置２）にとっての接続の優先度を示したものである。４種類の基地局装置１ａ，１ｂ，１ｃ，１ｃ−１において、接続の優先度は、ＯｐｅｎフェムトＢＳ１ｃ−１が最も高く、続いて、ピコＢＳ１ｂ、マクロＢＳ１ａ、ＣＳＧフェムト１ｃの順である。
【０１２９】
端末装置２が接続可能な基地局装置が複数あった場合、端末装置２は、接続の優先度が高いほうに、優先的に接続する。
通常、接続可能な基地局装置が複数ある場合、端末装置２は、信号の受信電力が最も高くなる基地局に接続する。例えば、端末装置２が、複数のマクロＢＳ１ａに接続可能である場合、信号の受信電力が最も高くなる基地局装置への接続（ハンドオーバ）を行うことになる。
【０１３０】
これに対し、例えば、端末装置２がマクロＢＳ１ａ及びピコＢＳ１ｂに接続可能である場合において、ピコＢＳ１ｂから送信された信号の受信電力の方が、マクロＢＳ１ａから送信された信号の受信電力よりも、やや小さくても、端末装置２は、優先度の高いピコＢＳ１ｂの方に接続することになる。すなわち、端末装置２は、優先度のより高いピコＢＳ１ｂから送信された信号の電力については、実際の受信電力の大きさに、所定値を加えることで、実際の受信電力の大きさよりも大きいものとみなす。これにより、端末装置２は、優先度の高いピコＢＳ１ｂの方に優先的に接続することになる。これは、マクロセルＭＣよりも小さいピコセルＰＣを形成するピコＢＳ１ｂにできるだけ多くの端末装置２を接続させて、マクロＢＳ１ａの負荷を軽減させるためである。
【０１３１】
同様に、端末装置２がピコＢＳ１ｂ及びＯｐｅｎフェムトＢＳ１ｃ−１に接続可能である場合において、ＯｐｅｎフェムトＢＳ１ｃ−１から送信された信号の受信電力の方が、ピコＢＳ１ｂから送信された信号の受信電力よりも、やや小さくても、端末装置２は、優先度の高いＯｐｅｎフェムトＢＳ１ｃ−１の方に接続することになる。これは、ピコセルＰＣよりも小さいフェムトセルＦＣを形成するＯｐｅｎフェムトＢＳ１ｃ−１にできるだけ多くの端末装置２を接続させて、ピコＢＳ１ｂの負荷を軽減させるためである。
【０１３２】
また、ＣＳＧフェムトＢＳ１ｃに接続が許可されていない一般の端末装置２は、ＣＳＧフェムトＢＳ１ｃが形成するフェムトセルＦＣ内に位置している場合であっても、ＣＳＧフェムトＢＳ１ｃに接続することができない。つまり、ＣＳＧフェムトＢＳ１ｃから送信された信号の受信電力が、マクロＢＳ１ａ、ピコＢＳ１ｂ、又はＯｐｅｎフェムトＢＳ１ｃ−１から送信された信号の受信電力よりも大きい場合であっても、端末装置２は、優先度の高いマクロＢＳ１ａ、ピコＢＳ１ｂ、又はＯｐｅｎフェムトＢＳ１ｃ−１に接続することになる。
【０１３３】
なお、端末装置２が接続可能な複数の基地局装置の優先度（種別）が同じである場合には、端末装置２は、通常通り、信号の受信電力が最も高くなる基地局に接続する。
【０１３４】
［５．第１変形例］
図３１及び図３２は、図１１及び図１０に関する第１変形例を示している。第１変形例においては、図２９に示すように、ＣＳＧフェムトＢＳ１ｃ及びＯｐｅｎフェムトＢＳ１ｃ−１は、いずれもピコセルＰＣ内に存在し、ＯｐｅｎフェムトＢＳ１ｃ−１は、ＣＳＧフェムトＢＳ１ｃからの干渉が問題になる程度に、ＣＳＧフェムトＢＳ１ｃの近傍に存在している。
【０１３５】
図１０及び図１１においては、ＣＳＧフェムトＢＳ１ｃの取得部２６は、マクロＢＳ１ａのＡＢＳの位置を示すＡＢＳ情報を取得していたが、図３１及び図３２に示す第１変形例では、ＣＳＧフェムトＢＳ１ｃの取得部２６は、自装置１ｃよりも、端末装置２による接続の優先度が高いピコＢＳ１ｂのＡＢＳの位置を示すＡＢＳ情報を取得する。
【０１３６】
図３１では、図２９に示すマクロＢＳ１ａの存在を考慮せず、ピコＢＳ１ｂ、ＣＳＧフェムトＢＳ１ｃ、及びＯｐｅｎフェムトＢＳ１ｃ−１の三者で考える。
ＣＳＧフェムトＢＳ１ｃのブランク区間設定部２４は、ピコＢＳ１ｂのＡＢＳの位置を示すＡＢＳ情報に基づき、図３１に示すように、ピコＢＳ１ｂにおけるＡＢＳの位置に対応する位置にＡＢＳを設定する。ピコＢＳ１ｂにおけるＡＢＳの位置は、より優先度の高いＯｐｅｎフェムトＢＳ１ｃ−１が形成するフェムトセルへの干渉防止（フェムト制御信号の保護）のために設定されている。
【０１３７】
ＣＳＧフェムトＢＳ１ｃは、自装置１ｃよりも、端末装置２による接続の優先度が高いピコＢＳ１ｂが設定したＡＢＳの位置に倣って、自装置１ｃにおけるＡＢＳの位置を設定することで、より優先度の高いＯｐｅｎフェムトＢＳ１ｃ−１が形成するフェムトセルへの干渉防止（フェムト制御信号の保護）が可能となる。
図３１では、ＣＳＧフェムトＢＳ１ｃは、ピコＢＳ１ｂが形成するピコセルへの干渉防止（ピコ制御信号の保護）のためのＡＢＳも設定しているが、当該ＡＢＳを設けなくてもよい。
【０１３８】
ＣＳＧフェムトＢＳ１ｃが、ピコＢＳ１ｂの送信フレーム中のＡＢＳの位置を示す情報(ＡＢＳ情報)を取得するための経路のバリエーションを、図３２に示した。図３２に示す経路のバリエーションは、図１０に示す経路のバリエーションと同様のものである。つまり、ＣＳＧフェムトＢＳ１ｃの情報取得部２６は、ピコＢＳ１ｂのＡＢＳ情報を、ピコＢＳ１ｂから、無線又は有線で、取得することができる。また、ＣＳＧフェムトＢＳ１ｃの情報取得部２６は、ピコＢＳ１ｂのＡＢＳ情報を、ピコ端末２ｂ、ＯｐｅｎフェムトＢＳ１ｃ−１、Ｏｐｅｎフェムト端末２ｃ−１などを介して取得することもできる。
【０１３９】
第１変形例においても、ＣＳＧフェムトＢＳ１ｃは、ＯｐｅｎフェムトＢＳ１ｃ−１が、自装置１ｃの近傍に存在しているか否かの判定を行って、ＯｐｅｎフェムトＢＳ１ｃ−１が近傍に存在している判定された場合には、取得したＡＢＳ情報に基づいて、図３１に示すようにＡＢＳを設定することができる。
ＯｐｅｎフェムトＢＳ１ｃ−１が近傍に存在していないと判定された場合には、ＣＳＧフェムトＢＳ１ｃは、ＯｐｅｎフェムトＢＳ１ｃ−１のフェムト制御信号の保護は考慮せずに、ピコ制御信号を保護するように、ＡＢＳの位置を設定する。つまり、ＣＳＧフェムトＢＳ１ｃは、ピコＢＳ１ｂのＡＢＳ情報を考慮せずに、ブランク位置の設定を行う。
【０１４０】
ＯｐｅｎフェムトＢＳ１ｃ−１が近傍に存在しているか否かの判定は、［３．１］〜［３．４］及び［３．６］〜［３．７］の方法に準じて行うことができる。
【０１４１】
［６．第２変形例］
図３３及び図３４は、図１１及び図１０に関する第２変形例を示している。第２変形例においても、図２９に示す基地局装置の配置を想定する。ただし、第２変形例では、ＣＳＧフェムト１ｃの存在を考慮せず、マクロＢＳ１ａ、ピコＢＳ１ｂ、及びＯｐｅｎフェムトＢＳ１ｃ−１の三者で考える。
【０１４２】
第２変形例においては、ピコＢＳ１ｂにおけるＡＢＳの設定について説明する。なお、ピコＢＳ１ｂも、図５に示す構成と同様の構成を有している。
ピコＢＳ１ｂの取得部２６は、自装置１ｂよりも、端末装置による接続の優先度が低いマクロＢＳ１ａのＡＢＳ情報を取得する。
【０１４３】
ピコＢＳ１ｂのブランク区間設定部２４は、マクロＢＳ１ａのＡＢＳの位置を示すＡＢＳ情報に基づき、図３３に示すように、マクロＢＳ１ａにおけるＡＢＳの位置に対応する位置にＡＢＳを設定する。マクロＢＳ１ａにおけるＡＢＳの位置は、ピコＢＳ１ｂ（及びマクロＢＳ１ａ）よりも優先度の高いＯｐｅｎフェムトＢＳ１ｃ−１が形成するフェムトセルへの干渉防止（フェムト制御信号の保護）のために設定されている。
【０１４４】
ピコＢＳ１ｂは、マクロＢＳ１ａがピコＢＳ１ｂよりも優先度の高いＯｐｅｎフェムトＢＳ１ｃ−１のために設定したＡＢＳの位置に倣って、自装置１ｂにおけるＡＢＳの位置を設定することで、自装置１ｂよりも優先度の高いＯｐｅｎフェムトＢＳ１ｃ−１が形成するフェムトセルへの干渉防止（フェムト制御信号の保護）が可能となる。
なお、図３３では、マクロＢＳ１ａは、ピコＢＳ１ｂが形成するピコセルへの干渉防止（ピコ制御信号の保護）のためのＡＢＳも設定しているが、ピコＢＳ１ｂは、ピコセルＰＣへの干渉防止のためのＡＢＳの位置に、自装置１ｂのＡＢＳを設定する必要はない。
このように、他の基地局装置１ａが設定しているＡＢＳと同じ位置にＡＢＳを設定することが、自装置１ｂにとって好ましくない又は必要ない場合、他の基地局装置１ａが設定しているＡＢＳと同じ位置にＡＢＳを設定しなくてもよい。
【０１４５】
ピコＢＳ１ｂが、マクロＢＳ１ｂの送信フレーム中のＡＢＳの位置を示す情報（ＡＢＳ情報）を取得するための経路のバリエーションを、図３４に示した。ピコＢＳ１ｂの情報取得部２６は、マクロＢＳ１ａのＡＢＳ情報を、マクロＢＳ１ａから、無線又は有線で、取得することができる。また、ピコＢＳ１ｂの情報取得部２６は、マクロＢＳ１ａのＡＢＳ情報を、マクロ端末２ａ、ＯｐｅｎフェムトＢＳ１ｃ−１，Ｏｐｅｎフェムト端末２ｃ−１などを介して取得することもできる。
【０１４６】
第２変形例においても、ピコＢＳ１ｂは、ＯｐｅｎフェムトＢＳ１ｃ−１が、自装置１ｂの近傍に存在しているか否かの判定を行って、ＯｐｅｎフェムトＢＳ１ｃ−１が近傍に存在している判定された場合には、取得したＡＢＳ情報に基づいて、図３３に示すようにＡＢＳを設定することができる。
ＯｐｅｎフェムトＢＳ１ｃ−１が近傍に存在していないと判定された場合には、ピコＢＳ１ｂは、ＯｐｅｎフェムトＢＳ１ｃ−１のフェムト制御信号の保護は考慮しなくてよい。つまり、ピコＢＳ１ｂは、ブランク位置の設定に際して、マクロＢＳ１ａのＡＢＳ情報を考慮しなくてよい。
【０１４７】
ＯｐｅｎフェムトＢＳ１ｃ−１が近傍に存在しているか否かの判定は、［３．１］〜［３．４］及び［３．６］〜［３．７］の方法に準じて行うことができる。
【０１４８】
［７．第３変形例］
図３５及び図３６は、図１１及び図１０に関する第３変形例を示している。第３変形例においても、図２９に示す基地局装置の配置を想定する。ただし、第３変形例では、マクロＢＳ１ａの存在を考慮せず、ピコＢＳ１ｂ、ＣＳＧフェムトＢＳ１ｃ、及びＯｐｅｎフェムトＢＳ１ｃ−１の三者で考える。
【０１４９】
第３変形例においても、第２変形例と同様に、ピコＢＳ１ｂにおけるＡＢＳの設定について説明する。
ピコＢＳ１ｂの取得部２６は、自装置１ｂよりも、端末装置による接続の優先度が低いＣＳＧフェムトＢＳ１ｃのＡＢＳ情報を取得する。
【０１５０】
ピコＢＳ１ｂのブランク区間設定部２４は、ＣＳＧフェムトＢＳ１ｃのＡＢＳの位置を示すＡＢＳ情報に基づき、図３５に示すように、ＣＳＧフェムトＢＳ１ｃにおけるＡＢＳの位置に対応する位置にＡＢＳを設定する。ＣＳＧフェムトＢＳ１ｃにおけるＡＢＳの位置は、ピコＢＳ１ｂ（及びＣＳＧフェムトＢＳ１ｃ）よりも優先度の高いＯｐｅｎフェムトＢＳ１ｃ−１が形成するフェムトセルへの干渉防止（フェムト制御信号の保護）のために設定されている。
【０１５１】
ピコＢＳ１ｂは、ＣＳＧフェムトＢＳ１ｃがピコＢＳ１ｂよりも優先度の高いＯｐｅｎフェムトＢＳ１ｃ−１のために設定したＡＢＳの位置に倣って、自装置１ｂにおけるＡＢＳの位置を設定することで、自装置１ｂよりも優先度の高いＯｐｅｎフェムトＢＳ１ｃ−１が形成するフェムトセルへの干渉防止（フェムト制御信号の保護）が可能となる。
なお、図３５では、ＣＳＧフェムトＢＳ１ｃは、ピコＢＳ１ｂが形成するピコセルへの干渉防止（ピコ制御信号の保護）のためのＡＢＳも設定しているが、第２変形例と同様に、ピコＢＳ１ｂは、ピコセルＰＣへの干渉防止のためのＡＢＳの位置に、自装置１ｂのＡＢＳを設定する必要はない。
【０１５２】
ピコＢＳ１ｂが、ＣＳＧフェムトＢＳ１ｃの送信フレーム中のＡＢＳの位置を示す情報（ＡＢＳ情報）を取得するための経路のバリエーションを、図３６に示した。ピコＢＳ１ｂの情報取得部２６は、ＣＳＧフェムトＢＳ１ｃのＡＢＳ情報を、ＣＳＧフェムトＢＳ１ｃから、無線又は有線で、取得することができる。また、ピコＢＳ１ｂの情報取得部２６は、ＣＳＧフェムトＢＳ１ａのＡＢＳ情報を、ＣＳＧフェムト端末２ｃ、マクロＢＳ１ａ，マクロ端末２ａなどを介して取得することもできる。
【０１５３】
第３変形例においても、ピコＢＳ１ｂは、ＯｐｅｎフェムトＢＳ１ｃ−１が、自装置１ｂの近傍に存在しているか否かの判定を行って、ＯｐｅｎフェムトＢＳ１ｃ−１が近傍に存在している判定された場合には、取得したＡＢＳ情報に基づいて、図３５に示すようにＡＢＳを設定することができる。
ＯｐｅｎフェムトＢＳ１ｃ−１が近傍に存在していないと判定された場合には、ピコＢＳ１ｂは、ＯｐｅｎフェムトＢＳ１ｃ−１のフェムト制御信号の保護は考慮しなくてよい。つまり、ピコＢＳ１ｂは、ブランク位置の設定に際して、マクロＢＳ１ａのＡＢＳ情報を考慮しなくてよい。
【０１５４】
ＯｐｅｎフェムトＢＳ１ｃ−１が近傍に存在しているか否かの判定は、［３．１］〜［３．４］及び［３．６］〜［３．７］の方法に準じて行うことができる。
【０１５５】
［８．第４変形例］
図３７は、第４変形例を示している。第４変形例においても、図２９に示す基地局装置の配置を想定する。
第４変形例においては、マクロＢＳ１ａにおけるＡＢＳの設定、及びＣＳＧフェムトＢＳ１ｃにおけるＡＢＳの設定について説明する。なお、マクロＢＳ１ｂも、図５に示す構成と同様の構成を有している。
【０１５６】
第４変形例において、マクロＢＳ１ａは、第１変形例（図３１）のＣＳＧフェムトＢＳ１ｃと同様の処理を行う。
すなわち、マクロＢＳ１ａの取得部２６は、自装置１ａよりも、端末装置による接続の優先度が高いピコＢＳ１ｂのＡＢＳ情報を取得する。
マクロＢＳ１ａのブランク区間設定部２４は、ピコＢＳ１ｂのＡＢＳの位置を示すＡＢＳ情報に基づき、図３７に示すように、ピコＢＳ１ｂにおけるＡＢＳの位置に対応する位置にＡＢＳを設定する。ピコＢＳ１ｂにおけるＡＢＳの位置は、より優先度の高いＯｐｅｎフェムトＢＳ１ｃ−１が形成するフェムトセルへの干渉防止（フェムト制御信号の保護）のために設定されている。
【０１５７】
また、マクロＢＳ１ａは、ピコＢＳ１ｂのＡＢＳの位置に倣うほか、追加的に、ピコＢＳ１ｂが形成するピコセルへの干渉防止（ピコ制御信号の保護）のためのＡＢＳも設定する。
【０１５８】
第４変形例のＣＳＧフェムトＢＳ１ｃは、図１１に示すＣＳＧフェムトＢＳ１ｃと同様の処理を行う。
すなわち、ＣＳＧフェムトＢＳ１ｃの取得部２６は、自装置１ｃよりも、端末装置による接続の優先度が高いマクロＢＳ１ａのＡＢＳ情報を取得する。
ＣＳＧフェムトＢＳ１ｃのブランク区間設定部２４は、マクロＢＳ１ａのＡＢＳの位置を示すＡＢＳ情報に基づき、図３７に示すように、マクロＢＳ１ａにおける２つのＡＢＳの位置に対応する位置にＡＢＳを設定する。マクロＢＳ１ａにおけるＡＢＳの位置は、より優先度の高いピコＢＳ１ｂが形成するピコセル及びＯｐｅｎフェムトＢＳ１ｃ−１が形成するフェムトセルへの干渉防止（フェムト制御信号の保護）のために設定されている。
【０１５９】
また、ＣＳＧフェムトＢＳ１ｃは、マクロＢＳ１ａのＡＢＳの位置に倣うほか、追加的に、マクロＢＳ１ａが形成するピコセルへの干渉防止（ピコ制御信号の保護）のためのＡＢＳも設定する。
【０１６０】
図３７に示すようにＡＢＳの位置が設定されることで、端末装置２による接続の優先度の高い基地局装置が形成するセルへの干渉を低減することができる。
【０１６１】
［９．第５変形例］
図３８は、第５変形例を示している。第５変形例においても、図２９に示す基地局装置の配置を想定する。
第５変形例においては、マクロＢＳ１ａにおけるＡＢＳの設定、及びピコＢＳ１ｂにおけるＡＢＳの設定について説明する。
【０１６２】
マクロＢＳ１ａの取得部２６は、自装置１ａよりも、端末装置による接続の優先度が低いＣＳＧフェムト１ｃのＡＢＳ情報を取得する。
マクロＢＳ１ａのブランク区間設定部２４は、ＣＳＧフェムトＢＳ１ｃのＡＢＳの位置を示すＡＢＳ情報に基づき、図３８に示すように、ＣＳＧフェムトＢＳ１ｃにおけるＡＢＳの位置に対応する位置にＡＢＳを設定する。ＣＳＧフェムトＢＳ１ｃにおけるＡＢＳの位置は、ＣＳＧフェムトＢＳ１ｃよりも優先度の高いマクロＢＳ１ａ、ピコＢＳ１ｂ、及びＯｐｅｎフェムトＢＳ１ｃ−１が形成するフェムトセルへの干渉防止のために設定されている。
【０１６３】
マクロＢＳ１ａは、ＣＳＧフェムトＢＳ１ｃが自装置１ａよりも優先度の高いピコＢＳ１ｂ及びＯｐｅｎフェムトＢＳ１ｃ−１のために設定したＡＢＳの位置に倣って、自装置１ａにおけるＡＢＳの位置を設定することで、自装置１ａよりも優先度の高いピコＢＳ１ｂが形成するピコセル及びＯｐｅｎフェムトＢＳ１ｃ−１が形成するフェムトセルへの干渉防止（フェムト制御信号の保護）が可能となる。
また、図３８では、ＣＳＧフェムトＢＳ１ｃは、マクロＢＳ１ａが形成するマクロセルへの干渉防止（マクロ制御信号の保護）のためのＡＢＳも設定しているが、マクロＢＳ１ａは、マクロセルＭＣへの干渉防止のためのＡＢＳの位置に、自装置１ａのＡＢＳを設定する必要はない。
そこで、マクロＢＳ１ａのブランク区間設定部２４は、マクロ制御信号が含まれるサブフレームとは異なるサブフレームに、ＡＢＳを設定する。つまり、ブランク区間設定部２４は、ＣＳＧフェムトＢＳ１ｃのＡＢＳの位置とは異なる位置（図３８では、マクロ制御信号の右隣のサブフレーム）に、ＡＢＳを設定する。このように、取得したＡＢＳ情報の示すＡＢＳの位置をそのまま倣ってＡＢＳを設定するのではなく、取得したＡＢＳ情報の示すＡＢＳの位置にＡＢＳを設定する必要があるか否かを判定した上で、自装置１ｂにおけるＡＢＳの位置を設定することで、より適切なＡＢＳ設定が可能となる。
このようにして設定されたＡＢＳ（図３８のマクロ制御信号の右隣のサブフレーム）は、例えば、優先度の高いピコＢＳ１ｂがデータ信号を送信するため等、通信に積極的に用いることができる。
【０１６４】
第５変形例のピコＢＳ１ｂは、第２変形例（図３３）に係るピコＢＳ１ｂと同様の処理を行う。
すなわち、ピコＢＳ１ｂの取得部２６は、自装置１ｂよりも、端末装置による接続の優先度が低いマクロＢＳ１ａのＡＢＳ情報を取得する。
【０１６５】
ピコＢＳ１ｂのブランク区間設定部２４は、マクロＢＳ１ａのＡＢＳの位置を示すＡＢＳ情報に基づき、図３８に示すように、マクロＢＳ１ａにおけるＡＢＳの位置に対応する位置にＡＢＳを設定する。マクロＢＳ１ａにおけるＡＢＳの位置は、マクロＢＳ１ａよりも優先度の高いピコＢＳ１ｂが形成するピコセル及びＯｐｅｎフェムトＢＳ１ｃ−１が形成するフェムトセルへの干渉防止のために設定されている。
【０１６６】
ピコＢＳ１ｂは、マクロＢＳ１ａがピコＢＳ１ｂよりも優先度の高いＯｐｅｎフェムトＢＳ１ｃ−１のために設定したＡＢＳの位置に倣って、自装置１ｂにおけるＡＢＳの位置を設定することで、自装置１ｂよりも優先度の高いＯｐｅｎフェムトＢＳ１ｃ−１が形成するフェムトセルへの干渉防止（フェムト制御信号の保護）が可能となる。
なお、図３８では、マクロＢＳ１ａは、ピコＢＳ１ｂが形成するピコセルへの干渉防止（ピコ制御信号の保護）のためのＡＢＳも設定しているが、ピコＢＳ１ｂは、ピコセルＰＣへの干渉防止のためのＡＢＳの位置に、自装置１ｂのＡＢＳを設定する必要はない。
【０１６７】
図３８に示すようにＡＢＳの位置が設定されることで、端末装置２による接続の優先度の高い基地局装置が形成するセルへの干渉を低減することができる。
【０１６８】
［１０．第６変形例］
図３９は、第６変形例を示している。第６変形例においても、図２９に示す基地局装置の配置を想定する。
第６変形例においては、ピコＢＳ１ｂにおけるＡＢＳの設定、及び、ＣＳＧフェムトＢＳ１ｃにおけるＡＢＳの設定について説明する。
【０１６９】
第６変形例において、ピコＢＳ１ｂは、第５変形例におけるピコＢＳ１ｂと同様の処理を行う。すなわち、ピコＢＳ１ｂの取得部２６は、自装置１ｂよりも、端末装置による接続の優先度が低いマクロＢＳ１ａのＡＢＳ情報を取得して、ＡＢＳの位置の設定を行う。
【０１７０】
第６変形例において、ＣＳＧフェムトＢＳ１ｃは、第４変形例におけるＣＳＧフェムト１ｃと同様の処理を行う。すなわち、ＣＳＧフェムトＢＳ１ｃの取得部２６は、自装置１ｃよりも、端末装置による接続の優先度が高いマクロＢＳ１ａのＡＢＳ情報を取得して、ＡＢＳの位置の設定を行う。
【０１７１】
図３９に示すようにＡＢＳの位置が設定されることで、端末装置２による接続の優先度の高い基地局装置が形成するセルへの干渉を低減することができる。
【０１７２】
［１１．第７変形例］
図４０は、第７変形例を示している。第７変形例では、他の基地局装置のＡＢＳ情報に基づいて、当該他の基地局装置のＡＢＳの位置とは異なる位置に、自装置のＡＢＳを設定する。
【０１７３】
第７変形例のピコＢＳ１ｂは、ＣＳＧフェムトＢＳ１ｃから、ＡＢＳ情報を取得する。ピコＢＳ１ｂは、ＡＢＳ情報を取得する前は、ＣＳＧフェムトＢＳ１ｃのＡＢＳの位置と同じ位置にＡＢＳを設定しているものとする。ＣＳＧフェムトＢＳ１ｃのＡＢＳは、ピコＢＳ１ｂよりも優先度が低いマクロＢＳ１ａが形成するマクロセルへの干渉防止（マクロ制御信号の保護）のために設定されている。
【０１７４】
ピコＢＳ１ｂは、ＣＳＧフェムトＢＳ１ｃのＡＢＳ情報を取得する。ピコＢＳ１ｂは、自装置１ｂのＡＢＳの位置と、ＣＳＧフェムトＢＳ１ｃが自装置１ｂよりも優先度の低いマクロＢＳ１ａのために設定しているＡＢＳの位置とが一致していることを、取得したＡＢＳ情報に基づいて検出する。すると、ピコＢＳ１ｂは、図４０に示すように、自装置１ｂのＡＢＳの位置を、別の位置に変更する。
なお、ＣＳＧフェムトＢＳ１ｃのＡＢＳが、マクロＢＳ１ａの制御信号の保護のために設定されていることについては、ピコＢＳ１ｂが、マクロＢＳ１ａから、マクロ制御信号の位置を示す情報を取得することで把握することができる。
変更後のＡＢＳの位置にて、Ｏｐｅｎフェムト１ｃ−１のフェムト制御信号が送信されるように、フェムト制御信号のタイミングを調整することで、ピコＢＳ１ｂからＯｐｅｎフェムトセルへの干渉を防止できる。
【０１７５】
［１２．第８変形例］
図４１は、第８変形例を示している。第８変形例も、第７変形例と同様に、他の基地局装置のＡＢＳ情報に基づいて、当該他の基地局装置のＡＢＳの位置とは異なる位置に、自装置のＡＢＳを設定する例を示している。
【０１７６】
第８変形例のＯｐｅｎフェムトＢＳ１ｃ−１は、ＣＳＧフェムトＢＳ１ｃから、ＡＢＳ情報を取得する。ＯｐｅｎフェムトＢＳ１ｃ−１は、ＡＢＳ情報を取得する前は、ＣＳＧフェムトＢＳ１ｃのＡＢＳの位置と同じ位置にＡＢＳを設定しているものとする。ＣＳＧフェムトＢＳ１ｃのＡＢＳは、ＯｐｅｎフェムトＢＳ１ｃ−１よりも優先度が低いピコＢＳ１ｂが形成するマクロセルへの干渉防止（マクロ制御信号の保護）のために設定されている。
【０１７７】
ＯｐｅｎフェムトＢＳ１ｃ−１は、ＣＳＧフェムトＢＳ１ｃのＡＢＳ情報を取得する。ＯｐｅｎフェムトＢＳ１ｃ−１は、自装置１ｃ−１のＡＢＳの位置と、ＣＳＧフェムトＢＳ１ｃが自装置１ｃ−１よりも優先度の低いピコＢＳ１ｂのために設定しているＡＢＳの位置とが一致していることを、取得したＡＢＳ情報に基づいて検出する。すると、ＯｐｅｎフェムトＢＳ１ｃ−１は、図４１に示すように、自装置１ｃ−１のＡＢＳの位置を、別の位置に変更する。
【０１７８】
［１３．考察］
以上の説明において、基地局装置は、複数の他の基地局装置のうち、ＡＢＳ（ブランク無線リソース）の位置を参照する対象となる対象基地局装置から、ＡＢＳ情報（ブランク無線リソースの位置を示す情報）を取得した（図９，１１，３１，３３，３５，３７〜４１参照）。
【０１７９】
取得したＡＢＳ情報に基づいてＡＢＳの位置を設定する基地局装置にとって、ＡＢＳ（ブランク無線リソース）の位置を参照する対象となる対象基地局装置（他の基地局装置）は、端末装置２による接続が、自装置よりも優先的に行われる他の基地局装置（優先度の高い基地局装置）とすることができる。前記対象基地局装置（他の基地局装置）としては、例えば、図９及び１１のマクロＢＳ１ａ、図３１のピコＢＳ１ｂ、並びに図３７のマクロＢＳ１ａ及びピコＢＳ１ｂが相当する。
【０１８０】
前記対象基地局装置（他の基地局装置）におけるＡＢＳ（ブランク無線リソース）は、端末装置による接続が前記対象基地局装置（他の基地局装置）よりも優先される優先基地局装置のセルへの干渉防止のために設定されたＡＢＳとすることができる。優先基地局装置（前記他の基地局装置とは別の他の基地局装置）としては、例えば、図９及び１１のピコＢＳ１ｂ、図３１のＯｐｅｎフェムトＢＳ１ｃ−１、並びに図３７のピコＢＳ１ｂ及びＯｐｅｎフェムトＢＳ１ｃ−１が相当する。
取得したＡＢＳ情報に基づいてＡＢＳの位置を設定する基地局装置にとって、優先基地局装置（前記他の基地局装置とは別の他の基地局装置）は、干渉回避が必要な程度に、自装置の近傍に存在する近傍基地局装置であるのが好ましい。
【０１８１】
また、取得したＡＢＳ情報に基づいてＡＢＳの位置を設定する基地局装置にとって、ＡＢＳ（ブランク無線リソース）の位置を参照する対象となる対象基地局装置（他の基地局装置）は、端末装置による接続が、自装置のほうに優先的に行われる他の基地局装置（優先度の低い基地局装置）であってもよい。前記対象基地局装置（他の基地局装置）としては、例えば、図３３のマクロＢＳ１ａ、図３５のＣＳＧフェムトＢＳ１ｃ、図３８のＣＳＧフェムト１ｃ及びマクロＢＳ１ａ、並びに図４０及び４１のＣＳＧフェムトＢＳ１ｃが相当する。
【０１８２】
取得したＡＢＳ情報に基づいてＡＢＳの位置を設定する基地局装置にとって、前記対象基地局装置（他の基地局装置）におけるＡＢＳ（ブランク無線リソース）は、端末装置による接続が自装置よりも優先される優先基地局装置のセルへの干渉防止のために設定されたＡＢＳとすることができる。優先基地局装置（前記他の基地局装置とは別の他の基地局装置）としては、例えば、図３３及び３５のＯｐｅｎフェムトＢＳ１ｃ−１、及び図３８のピコＢＳ１ｂ及びＯｐｅｎフェムトＢＳ１ｃ−１が相当する。
取得したＡＢＳ情報に基づいてＡＢＳの位置を設定する基地局装置にとって、優先基地局装置（前記他の基地局装置とは別の他の基地局装置）は、干渉回避が必要な程度に、自装置の近傍に存在する近傍基地局装置であるのが好ましい。
【０１８３】
［１４．付記１］
［１４．１］
個人又は企業などの通信事業者の顧客によってプライベートに利用可能な基地局装置であって、送信フレーム中に、データ信号が送信されないブランク区間を設定する設定部と、マクロセルよりも小さいセルを形成する小型公衆用基地局装置が、自装置の近傍に存在するか否かを判定する判定部と、を備え、前記設定部は、前記小型公衆用基地局装置が自装置の近傍に存在するか否かの判定結果に応じて、前記ブランク区間を設定する位置を調整する基地局装置。
この基地局装置によれば、小型公衆用基地局装置が、自装置の近傍に存在するかを判定して、ブランク区間の位置を調整するため、自装置の近傍に小型公衆基地局装置基地局装置が存在すれば、それに応じてブランク区間を設定することができる。
【０１８４】
［１４．２］
前記設定部は、前記判定部によって前記小型公衆用基地局装置が自装置の近傍に存在すると判定された場合には、前記小型公衆用基地局装置の送信フレームに含まれる制御信号の送信区間に対応するフレーム位置に、前記ブランク区間を設定する［１４．１］記載の基地局装置。この場合、小型公衆用基地局装置が、自装置の近傍に存在しても、自装置からの放射電波が、小型公衆用基地局装置の送信フレームに含まれる制御信号に悪影響を与えることを抑制することができる。
【０１８５】
［１４．３］
前記設定部は、前記判定部によって前記小型公衆用基地局装置が自装置の近傍に存在すると判定された場合には、マクロセルを形成するマクロ基地局装置の送信フレーム中のブランク区間に対応するフレーム位置に、前記ブランク区間を設定する［１４．１］又は［１４．２］記載の基地局装置。
マクロ基地局装置の送信フレーム中のブランク区間は、小型公衆用基地局装置の制御信号などを保護する位置に設定されることが多いため、マクロ基地局装置の送信フレーム中のブランク区間に対応するフレーム位置に、自装置のブランク区間を設定することで、小型公衆用基地局装置の制御信号等を保護することができる。
【０１８６】
［１４．４］
前記設定部は、前記判定部によって前記小型公衆用基地局装置が自装置の近傍に存在しないと判定された場合には、マクロセルを形成するマクロ基地局装置の送信フレームに含まれる制御信号の送信区間に対応するフレーム位置に、前記ブランク区間を設定する
［１４．１］〜［１４．３］のいずれか１項に記載の基地局装置。
小型公衆用基地局装置が自装置の近傍に存在しない場合には、マクロ基地局装置の送信フレームに含まれる制御信号を保護することができる。
【０１８７】
［１４．５］
前記判定部は、前記小型公衆用基地局装置が自装置の近傍に存在するか否かの判定を、自装置の近傍に存在する近傍基地局装置が無線送信した情報に基づいて行う［１４．１］〜［１４．４］のいずれか１項に記載の基地局装置。
【０１８８】
［１４．６］
前記判定部は、前記小型公衆用基地局装置が自装置の近傍に存在するか否かの判定を、自装置の近傍に存在する近傍基地局装置が送信した送信電力情報に基づいて行う［１４．１］〜［１４．５］のいずれか１項に記載の基地局装置。
【０１８９】
［１４．７］
前記判定部は、前記小型公衆用基地局装置が自装置の近傍に存在するか否かの判定を、自装置の近傍に存在する近傍基地局装置が送信した自装置のＩＤ情報に基づいて行う［１４．１］〜［１４．５］のいずれか１項に記載の基地局装置。
【０１９０】
［１４．８］
前記判定部は、自装置の近傍に存在する近傍基地局装置が送信した送信フレームに、当該近傍基地局装置が小型公衆用基地局装置であることを示す情報が含まれているか否かの判定によって、前記小型公衆用基地局装置が自装置の近傍に存在するか否かの判定を行う［１４．１］〜［１４．５］のいずれか１項に記載の基地局装置。
【０１９１】
［１４．９］
前記判定部は、自装置の近傍に存在する近傍基地局装置が送信した送信フレームに、当該近傍基地局装置の近傍に存在する他の基地局装置が小型公衆用基地局装置であることを示す情報が含まれているか否かの判定によって、前記小型公衆用基地局装置が自装置の近傍に存在するか否かの判定を行う［１４．１］〜［１４．５］のいずれか１項に記載の基地局装置。
【０１９２】
［１４．１０］
前記判定部は、前記他の基地局装置からの信号を測定した結果も考慮して、前記小型公衆用基地局装置が自装置の近傍に存在するか否かの判定を行う［１４．９］記載の基地局装置。
【０１９３】
［１４．１１］
前記判定部は、前記小型公衆用基地局装置が自装置の近傍に存在するか否かの判定を、自装置の近傍に存在する近傍基地局装置がセル範囲拡張処理を行っているか否かの監視結果に基づいて行う［１４．１］〜［１４．１０］のいずれか１項に記載の基地局装置。
【０１９４】
［１４．１２］
前記判定部は、前記小型公衆用基地局装置が自装置の近傍に存在するか否かの判定を、基地局間ネットワークを介して得た情報に基づいて行う［１４．１］〜［１４．１１］のいずれか１項に記載の基地局装置。
【０１９５】
［１４．１３］
前記判定部は、前記小型公衆用基地局装置が自装置の近傍に存在するか否かの判定を、基地局間ネットワークを介して得た、前記小型公衆用基地局装置が自装置の近傍に存在するか否かを示す情報に基づいて行う［１４．１２］記載の基地局装置。
【０１９６】
［１４．１４］
マクロセルよりも小さいセルを形成する小型公衆用基地局装置であって自装置が、前記小型公衆用基地局装置であることを示す情報を、送信フレームに含めて送信可能に構成されている基地局装置。
【０１９７】
［１４．１５］
自装置の近傍に存在する他の基地局装置を示す情報とともに、前記他の基地局装置が、マクロセルよりも小さいセルを形成する小型公衆用基地局装置であるか否かを示す情報を、送信フレームに含めて送信可能に構成されている基地局装置。
【０１９８】
［１４．１６］
マクロセルを形成する第１基地局装置と、マクロセルよりも小さいセルを形成する小型公衆用基地局装置である第２基地局装置と、個人又は企業などの通信事業者の顧客によってプライベートに利用可能な第３基地局装置と、を有する通信システムであって、前記第１基地局装置は、前記第２基地局装置の送信フレームに含まれる制御信号の送信区間に対応するフレーム位置に、データ信号が送信されないブランク区間を設定するよう構成され、前記第３基地局装置は、送信フレーム中に、データ信号が送信されないブランク区間を設定する設定部と、前記第２基地局装置が前記第３基地局装置の近傍に存在するか否かを判定する判定部と、を備え、前記設定部は、前記第２基地局装置が前記第３基地局装置の近傍に存在するか否かの判定結果に応じて、前記ブランク区間を設定する位置を調整する通信システム。
【０１９９】
［１４．１７］
複数の基地局装置の情報を管理する管理装置であって、複数の基地局装置それぞれの種別を示す情報を記憶する記憶部と、個人又は企業などの通信事業者の顧客によってプライベートに利用可能な第１基地局装置の近傍にマクロセルよりも小さいセルを形成する小型公衆用基地局装置である第２基地局装置が存在する場合に、前記第１基地局装置に対して、前記第１基地局装置の近傍に小型公衆用基地局装置が存在することを示す情報を送信する情報送信部と、を備えている管理装置。
【０２００】
［１４．１８］
複数の基地局装置の情報を管理する管理装置であって、複数の基地局装置それぞれの種別を示す情報を記憶する記憶部と、基地局装置に対して、他の基地局装置の種別を示す情報を送信する情報送信部と、を備えている管理装置。
【０２０１】
［１４．１９］
基地局装置が送信するフレーム中に、データ信号が送信されないブランク区間を設定する方法であって、個人又は企業などの通信事業者の顧客によってプライベートに利用可能な前記基地局装置の近傍に、マクロセルよりも小さいセルを形成する小型公衆用基地局装置が存在するか否かを判定するステップと、前記小型公衆用基地局装置が自装置の近傍に存在するか否かの判定結果に応じて、個人又は企業などの通信事業者の顧客によってプライベートに利用可能な前記基地局装置が送信するフレーム中における前記ブランク区間の位置を調整するステップと、を含む方法。
【０２０２】
［１４．２０］
近傍基地局に関する判定を行う方法であって、基地局間ネットワークに設けられた装置又は基地局間ネットワークに接続されたネットワークに設けられた装置から、前記基地局装置の近傍にマクロセルよりも小さいセルを形成する小型公衆用基地局装置が存在するか否かの判定を行うために用いられる情報を、送信するステップと、前記基地局装置が、基地局間ネットワークを介して送信されてきた前記情報を受信するステップと、前記情報に基づいて、前記基地局装置の近傍に前記小型公衆用基地局装置が存在するか否かの判定を行うステップと、を含む方法。
【０２０３】
［１４．２１］
マクロセルよりも小さいセルを形成する小型公衆用基地局装置が、自装置に関する情報を送信する方法であって、前記小型基地局装置は、自装置に関する情報として、自装置が前記小型公衆用基地局装置であることを示す情報を含めて送信する方法。
【０２０４】
［１４．２２］
基地局装置が、自装置の近傍に存在する他の基地局装置を示す情報を送信する方法であって、前記基地局装置は、自装置の近傍に存在する他の基地局装置を示す情報とともに、前記他の基地局装置が、マクロセルよりも小さいセルを形成する小型公衆用基地局装置であるか否かを示す情報を送信する方法。
【０２０５】
［１５．付記２］
今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【０２０６】
例えば、ブランクサブフレーム（ブランク区間）が設定されるフレーム中の位置は、マクロＢＳ又はピコＢＳの制御信号の位置に限られず、フェムトＢＳからの電波放射が存在すると問題が生じる可能性のある他の位置であってもよい。
【符号の説明】
【０２０７】
１：基地局装置（１ａ：マクロ基地局装置，１ｂ：ピコ基地局装置，１ｃ：フェムト基地局装置）
２：端末装置
３：ＭＭＥ
５：ゲートウェイ
６：Ｓ１インターフェース
７：Ｘ２インターフェース
９：サーバ（管理装置）
９ａ：記憶部
９ｂ：判定部
９ｃ：情報送信部
２４：ブランク無線リソース（ブランク区間）設定部
２５：判定部
２６：情報取得部
【図１】
2012063934.tif 000003
【図２】
2012063934.tif 000004
【図３】
2012063934.tif 000005
【図４】
2012063934.tif 000006
【図５】
2012063934.tif 000007
【図６】
2012063934.tif 000008
【図７】
2012063934.tif 000009
【図８】
2012063934.tif 000010
【図９】
2012063934.tif 000011
【図１０】
2012063934.tif 000012
【図１１】
2012063934.tif 000013
【図１２】
2012063934.tif 000014
【図１３】
2012063934.tif 000015
【図１４】
2012063934.tif 000016
【図１５】
2012063934.tif 000017
【図１６】
2012063934.tif 000018
【図１７】
2012063934.tif 000019
【図１８】
2012063934.tif 000020
【図１９】
2012063934.tif 000021
【図２０】
2012063934.tif 000022
【図２１】
2012063934.tif 000023
【図２２】
2012063934.tif 000024
【図２３】
2012063934.tif 000025
【図２４】
2012063934.tif 000026
【図２５】
2012063934.tif 000027
【図２６】
2012063934.tif 000028
【図２７】
2012063934.tif 000029
【図２８】
2012063934.tif 000030
【図２９】
2012063934.tif 000031
【図３０】
2012063934.tif 000032
【図３１】
2012063934.tif 000033
【図３２】
2012063934.tif 000034
【図３３】
2012063934.tif 000035
【図３４】
2012063934.tif 000036
【図３５】
2012063934.tif 000037
【図３６】
2012063934.tif 000038
【図３７】
2012063934.tif 000039
【図３８】
2012063934.tif 000040
【図３９】
2012063934.tif 000041
【図４０】
2012063934.tif 000042
【図４１】
2012063934.tif 000043
【国際調査報告】
2012063934.tif 000044
2012063934.tif 000045
2012063934.tif 000046
2012063934.tif 000047
2012063934.tif 000048
2012063934.tif 000049